(57)【特許請求の範囲】
【請求項１】
無線で通信する無線通信端末において、
無線信号を送受信する送受信部と、
前記無線信号をプロセスするプロセッサと、を含み、
前記プロセッサは、
無線通信端末が無線媒介体でフレーム交換シーケンスを開始し得る権利を有する時間区間であるＴＸＯＰ（ｔｒａｎｓｍｉｓｓｉｏｎ  ｏｐｐｏｒｔｕｎｉｔｙ）の最大値であるＴＸＯＰリミットに基づいて伝送を行い、
サウンディングプロトコルシーケンスが始まることを知らせるＮＤＰＡ（Ｎｕｌｌ  Ｄａｔａ  Ｐａｋｅｔ  Ａｎｎｏｕｎｃｅｍｅｎｔ）フレームを伝送し、
前記ＮＤＰＡフレームが伝送されたときから予め指定された時間が過ぎた後、ＮＤＰ（Ｎｕｌｌ  Ｄａｔａ  Ｐａｃｋｅｔ）フレームを伝送し、
前記ＮＤＰフレームが伝送されたときから前記予め指定された時間が過ぎた後、一つ以上の他の無線通信端末にビームフォーミングレポートポール（Ｂｅａｍｆｏｒｍｉｎｇ  Ｒｅｐｏｒｔ  Ｐｏｌｌ（ＢＲＰ））トリガーフレームを伝送し、前記ＢＲＰトリガーフレームは、複数の無線通信端末からのフィードバックフレームの同時伝送をトリガーすることが可能であり、
前記無線通信端末は、前記ＴＸＯＰリミット内で、前記ＮＤＰＡフレーム、前記ＮＤＰフレーム及び前記ＢＲＰトリガーフレームを、前記一つ以上の他の無線通信端末へ伝送すると、前記ＴＸＯＰリミットを超過する、前記一つ以上の他の無線通信端末のうちの少なくとも一つから前記フィードバックフレームのうちの少なくとも一つを受信し、
前記フィードバックフレームのうちの少なくとも一つは、前記ＢＲＰトリガーフレームが受信されたときから前記予め指定された時間が過ぎた後に伝送される、
無線通信端末。
【請求項２】
前記予め指定された時間は、Ｓｈｏｒｔ  Ｉｎｔｅｒ−Ｆｒａｍｅ  Ｓｐａｃｅ（ＳＩＦＳ）である、請求項１に記載の無線通信端末。
【請求項３】
前記プロセッサは、
動的フラグメンテーションを使用して少なくとも一つのフラグメントを生成し、
前記少なくとも一つのフラグメントを他の無線通信端末に伝送し、
前記動的フラグメンテーションは、最後のフラグメントを除く全てのフラグメントの大きさを同じくフラグメンテーションすることが求められる静的フラグメンテーションではないフラグメンテーションを示す
請求項１に記載の無線通信端末。
【請求項４】
前記プロセッサは、
前記他の無線通信端末がフラグメントの最小の大きさと指定した値に基づいて前記少なくとも一つのフラグメントのうち最初に第１フラグメントを生成し、
前記ＴＸＯＰリミットを超過する前記第１フラグメントを前記他の無線通信端末に伝送する
請求項３に記載の無線通信端末。
【請求項５】
前記無線通信端末が複数のＭＰＤＵ（ＭＡＣ  Ｐｒｏｔｏｃｏｌ  Ｄａｔａ  Ｕｎｉｔ）を含むＡ（Ａｇｇｒｅｇａｔｅ）−ＭＰＤＵを使用せず、前記少なくとも一つのフラグメントを前記他の無線通信端末に伝送すれば、前記プロセッサは、前記ＴＸＯＰリミットを超過する前記第１フラグメントを前記他の無線通信端末に伝送する
請求項４に記載の無線通信端末。
【請求項６】
前記プロセッサは、
前記他の無線通信端末がフラグメントの最小の大きさと指定した値と同じ大きさで前記第１フラグメントを生成する
請求項４に記載の無線通信端末。
【請求項７】
前記プロセッサは、
１６個のフラグメントを生成し、
前記ＴＸＯＰリミットを超過する、前記１６個のフラグメントのうち最後に生成する１６番目のフラグメントを、前記他の無線通信端末に伝送する
請求項３に記載の無線通信端末。
【請求項８】
前記他の無線通信端末が前記少なくとも一つのフラグメントのうち一つである以前に伝送されたフラグメントの受信に明示的に失敗したら、前記プロセッサは、前記無線通信端末が前記以前に伝送されたフラグメントの後に続くフラグメントを伝送しないかどうかと、前記他の無線通信端末が前記以前に伝送されたフラグメントの後に続くフラグメントの受信に明示的に失敗するかどうかのうち少なくともいずれか一つに基づいて、前記以前に伝送されたフラグメントとは異なる大きさを有し、前記以前に伝送されたフラグメントと同じシーケンスナンバーと同じフラグメントナンバーを有する再伝送フラグメントを生成し、
前記他の無線通信端末に前記以前に伝送されたフラグメントを再伝送する代わりに、前記無線通信端末に前記再伝送フラグメントを伝送する
請求項３に記載の無線通信端末。
【請求項９】
前記無線通信端末と前記他の無線通信端末との間にＢｌｏｃｋＡＣＫ合意がなければ、前記プロセッサは、前記他の無線通信端末の能力に応じて決定されたフラグメンテーションレベルによって動的フラグメンテーションを行い、
前記フラグメンテーションレベルはフラグメントの伝送方法を示す
請求項３に記載の無線通信端末。
【請求項１０】
前記無線通信端末は、ＴＸＯＰホルダー（ｈｏｌｄｅｒ）である
請求項１に記載の無線通信端末。
【請求項１１】
前記フィードバックフレームの各々は、前記フィードバックフレームの各々の送信器によって前記ＮＤＰフレームを用いて測定されるチャネルの状態を示し、前記フィードバックフレームの各々の前記送信器へのＭｕｌｔｉ  Ｉｎｐｕｔ  Ｍｕｌｔｉ  Ｏｕｔｐｕｔ（ＭＩＭＯ）伝送に使用されるか、または、前記フィードバックフレームの各々の前記送信器へのビームフォーミング伝送に使用される、
請求項１に記載の無線通信端末。
【請求項１２】
無線で通信する無線通信端末を動作させる方法において、
無線通信端末が無線媒介体でフレーム交換シーケンスを開始し得る権利を有する時間区間であるＴＸＯＰの最大値であるＴＸＯＰリミット内で伝送を行うステップと、
サウンディングプロトコルシーケンスが始まることを知らせるＮＤＰＡ（Ｎｕｌｌ  Ｄａｔａ  Ｐａｋｅｔ  Ａｎｎｏｕｎｃｅｍｅｎｔ）フレームを伝送するステップと、
前記ＮＤＰＡフレームが伝送されたときから予め指定された時間が過ぎた後、ＮＤＰ（Ｎｕｌｌ  Ｄａｔａ  Ｐａｃｋｅｔ）フレームを伝送するステップと、
前記ＮＤＰフレームが伝送されたときから前記予め指定された時間が過ぎた後、一つ以上の他の無線通信端末にビームフォーミングレポートポール（Ｂｅａｍｆｏｒｍｉｎｇ  Ｒｅｐｏｒｔ  Ｐｏｌｌ（ＢＲＰ））トリガーフレームを伝送するステップであって、前記ＢＲＰトリガーフレームは、複数の無線通信端末からのフィードバックフレームの同時伝送をトリガーすることが可能であるステップと、を含み、
前記無線通信端末は、前記ＴＸＯＰリミット内で、前記ＮＤＰＡフレーム、前記ＮＤＰフレーム及び前記ＢＲＰトリガーフレームを前記一つ以上の他の無線通信端末へ伝送すると、前記ＴＸＯＰリミットを超過する前記ＴＸＯＰ内で前記一つ以上の他の無線通信端末のうちの少なくとも一つから前記フィードバックフレームのうちの少なくとも一つを受信し、
前記フィードバックフレームのうちの少なくとも一つは、前記ＢＲＰトリガーフレームが受信されたときから前記予め指定された時間が過ぎた後に伝送される、
方法。
【請求項１３】
前記方法は、
動的フラグメンテーションを使用して少なくとも一つのフラグメントを生成するステップを更に含み、
前記ＴＸＯＰリミットに基づいて伝送を行うステップは、
前記少なくとも一つのフラグメントを他の無線通信端末に伝送するステップを含み、
前記動的フラグメンテーションは、最後のフラグメントを除く全てのフラグメントの大きさを同じくフラグメンテーションすることが求められる静的フラグメンテーションではないフラグメンテーションを示す
請求項１２に記載の方法。
【請求項１４】
前記少なくとも一つのフラグメントを生成するステップは、
前記他の無線通信端末がフラグメントの最小の大きさと指定した値に基づいて前記少なくとも一つのフラグメントのうち最初に第１フラグメントを生成するステップを含み、
前記少なくとも一つのフラグメントを他の無線通信端末に伝送するステップは、
前記ＴＸＯＰリミットを超過する前記第１フラグメントを前記他の無線通信端末に伝送するステップを含む
請求項１３に記載の方法。
【請求項１５】
前記フィードバックフレームの各々は、前記フィードバックフレームの各々の送信器によって前記ＮＤＰフレームを用いて測定されるチャネルの状態を示し、前記フィードバックフレームの各々の前記送信器へのＭｕｌｔｉ  Ｉｎｐｕｔ  Ｍｕｌｔｉ  Ｏｕｔｐｕｔ（ＭＩＭＯ）伝送に使用されるか、または、前記フィードバックフレームの各々の前記送信器のビームフォーミング伝送に使用される、
請求項１２に記載の方法。
【発明の詳細な説明】
【技術分野】
【０００１】
本発明は、ＴＸＯＰを使用する無線通信方法及び無線通信端末に関する。
【背景技術】
【０００２】
最近、モバイル機器の普及が拡大されるにつれ、これらに速い無線インターネットサービスを提供する無線ＬＡＮ（Ｗｉｒｅｌｅｓｓ  ＬＡＮ）技術が脚光を浴びている。無線ＬＡＮ技術は、近距離で無線通信技術に基づいてスマートフォン、スマートパッド、ラップトップコンピュータ、携帯型マルチメディアプレーヤー、組み込み（ｅｍｂｅｄｅｄ）機器などのようなモバイル機器を家庭や企業、または特定サービス提供地域で無線でインターネットに接続するようにする技術である。
【０００３】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１１は、２．４ＧＨｚの周波数を利用した初期の無線ＬＡＮ技術を支援した以来、多様な技術の標準を実用化または開発中である。まず、ＩＥＥＥ  ８０２．１１ｂは、２．４ＧＨｚバンドの周波数を使用しながら最高１１Ｍｂｐｓの通信速度を支援する。ＩＥＥＥ  ８０２．１１ｂの後に商用化されたＩＥＥＥ８０２．１１ａは、２．４ＧＨｚバンドではなく５ＧＨｚバンドの周波数を使用することで、相当混雑な２．４ＧＨｚバンドの周波数に比べ干渉に対する影響を減らしており、ＯＦＤＭ技術を使用して通信速度を最大５４Ｍｂｐｓまで向上させた。しかし、ＩＥＥＥ  ８０２．１１ａはＩＥＥＥ  ８０２．１１ｂに比べ通信距離が短い短所がある。そして、ＩＥＥＥ  ８０２．１１ｇはＩＥＥＥ  ８０２．１１ｂと同じく２．４ＧＨｚバンドの周波数を利用して最大５４Ｍｐｂｓの通信速度を具現し、下位互換性（ｂａｃｋｗａｒｄ  ｃｏｍｐａｔｉｂｉｌｉｔｙ）を満足しているため相当な注目を浴びたが、通信距離においてもＩＥＥＥ  ８０２．１１ａより優位にある。
【０００４】
そして、無線ＬＡＮで脆弱点として指摘されてきた通信速度に対する限界を克服するために制定された技術規格として、ＩＥＥＥ  ８０２．１１ｎがある。ＩＥＥＥ  ８０２．１１ｎはネットワークの速度と信頼性を増加し、無線ネットワークの運営距離を拡張するのにその目的がある。より詳しくは、ＩＥＥＥ  ８０２．１１ｎではデータの処理速度が最大５４０Ｍｐｂｓ以上の高処理率（Ｈｉｇｈ  Ｔｈｒｏｕｇｈｐｕｔ、ＨＴ）を支援し、また、伝送エラーを最小化しデータ速度を最適化するために送信部と受信部の両端共に多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基盤している。また、この規格はデータの信頼性を上げるために重複する写本を多数個伝送するコーディング方式を使用する。
【０００５】
無線ＬＡＮの普及が活性化され、またこれを利用したアプリケーションが多様化されるにつれ、ＩＥＥＥ  ８０２．１１ｎを支援するデータ処理速度より高い処理率（Ｖｅｒｙ  Ｈｉｇｈ  Ｔｈｒｏｕｇｈｐｕｔ、ＶＨＴ）を支援するための新たな無線ＬＡＮシステムに対する必要請が台頭された。このうち、ＩＥＥＥ  ８０２．１１ａｃは５ＧＨｚ周波数で広い帯域幅（８０ＭＨｚ〜１６０ＭＨｚ）を支援する。ＩＥＥＥ  ８０２．１１ａｃ標準は５ＧＨｚ帯域でのみ定義されていたが、従来の２．４ＧＨｚ帯域の製品との下位互換性のために、初期１１ａｃチップセットは２．４ＧＨｚ帯域での動作も支援する。理論的に、この規格によると、多重ステーションの無線ＬＡＮの速度は最小１Ｇｂｐｓ、最大単一リンクの速度は最小５００Ｍｂｐｓまで可能になる。これは、より広い無線周波数帯域幅（最大１６０ＭＨｚ）、より多いＭＩＭＯの空間的ストリーム（最大８個）、多重ユーザＭＩＭＯ、そして高い密度の変調（最大２５６ＱＡＭ）など、８０１．１１ｎで受け入れた無線インタフェース概念を拡張して行われる。また、従来の２．４ＧＨｚ／５ＧＨｚの代わりに６０ＧＨｚバンドを使用してデータを伝送する方式として、ＩＥＥＥ  ８０２．１１ａｄがある。ＩＥＥＥ  ８０２．１１ａｄはビームフォーミング技術を利用して最大７Ｇｂｐｓの速度を提供する伝送規格であって、大容量のデータや無圧縮ＨＤビデオなど高いビットレート動画のストリーミングに適合している。しかし、６０ＧＨｚの周波数バンドは障害物の通過が難しく、近距離空間におけるディバイス間でのみ使用可能な短所がある。
【０００６】
一方、最近では８０１．１１ａｃ及び８０２．１１ａｄ以降の次世代無線ＬＡＮの標準として、高密度環境での高効率及び高性能無線ＬＡＮの通信技術を提供するための論議が行われつつある。つまり、次世代無線ＬＡＮ環境では高密度のステーションとＡＰ（Ａｃｃｅｓｓ  Ｐｏｉｎｔ）の存在下で室内外で高い周波数効率の通信が提供されるべきであり、これを具現するために多様な技術が必要である。
【０００７】
特に、無線ＬＡＮを利用する装置の数が増えるにつれ、決められているチャネルを効率的に使用する必要がある。よって、複数のステーションとＡＰ間のデータ伝送を同時に行うようにして、帯域幅を効率的に使用する技術が求められている。
【発明の概要】
【発明が解決しようとする課題】
【０００８】
本発明の一実施例は、ＴＸＯＰを使用する無線通信端末を提供することを目的とする。
【課題を解決するための手段】
【０００９】
本発明の一実施例によって、無線で通信する無線通信端末は、無線信号を送受信する送受信部と、前記無線信号をプロセスするプロセッサと、を含む。前記プロセッサは、無線通信端末が無線媒介体でフレーム交換シーケンスを開始し得る権利を有する時間区間であるＴＸＯＰ（ｔｒａｎｓｍｉｓｓｉｏｎ  ｏｐｐｏｒｔｕｎｉｔｙ）の最大値であるＴＸＯＰリミットに基づいて伝送を行う。
【００１０】
前記プロセッサは、ＴＸＯＰリミットを超過するＴＸＯＰを使用して他の無線通信端末にビームフォーミングレポートポール（Ｂｅａｍｆｏｒｍｉｎｇ  Ｒｅｐｏｒｔ  Ｐｏｌｌ、ＢＲＰ）トリガーフレームを伝送し、前記ＴＸＯＰリミットを超過するＴＸＯＰ内で前記他の無線通信端末から前記ＢＲＰトリガーフレームに対する応答としてフィードバックフレームを受信する。この際、前記ＢＲＰトリガーフレームは一つ以上の無線通信端末のフィードバックフレームの同時伝送をトリガーする。また、前記フィードバックフレームは、前記無線通信端末の前記他の無線通信端末に対するＭＩＭＯ（Ｍｕｌｔｉ  Ｉｎｐｕｔ  Ｍｕｌｔｉ  Ｏｕｔｐｕｔ）伝送、または前記無線通信端末の前記他の無線通信端末に対するビームフォーミング伝送に使用される、前記他の無線通信端末が測定したチャネルの状態を示す。
【００１１】
前記プロセッサは、前記無線通信端末が前記他の無線通信端末にサウンディングプロトコールシーケンスが始まることを知らせるＮＤＰＡ（Ｎｕｌｌ  Ｄａｔａ  Ｐａｃｋｅｔ  Ａｎｎｏｕｎｃｅｍｅｎｔ）フレームを伝送したときから予め指定された時間が過ぎた後、前記他の無線通信端末に前記チャネル状態の測定に使用するＮＤＰ（Ｎｕｌｌ  Ｄａｔａ  Ｐａｃｋｅｔ）フレームを伝送する。この際、前記無線通信端末が前記ＮＤＰＡフレーム、前記ＮＤＰフレーム、及び前記ＢＲＰトリガーフレームを前記ＴＸＯＰリミット内で伝送すれば、前記プロセッサは前記他の無線通信端末に前記ＮＤＰフレームを伝送したときから予め指定された時間が過ぎた後、前記ＴＸＯＰリミットを超過するＴＸＯＰを使用して前記他の無線通信端末に前記ＢＲＰトリガーフレームを伝送する。
【００１２】
前記無線通信端末が前記ＢＲＰトリガーフレームを前記ＴＸＯＰリミット内で伝送すれば、前記プロセッサは、前記ＴＸＯＰリミットを超過するＴＸＯＰを使用して前記ＢＲＰトリガーフレームを伝送する。
【００１３】
前記フィードバックフレームは、前記他の無線通信端末が前記ＢＲＰトリガーフレームを受信したときから予め指定された時間が過ぎた後に前記他の無線通信端末から伝送される。
【００１４】
前記プロセッサは、動的フラグメンテーションを使用して少なくとも一つのフラグメントを生成し、前記少なくとも一つのフラグメントを他の無線通信端末に伝送する。この際、前記動的フラグメンテーションは、最後のフラグメントを除く全てのフラグメントの大きさを同じくフラグメンテーションすることが求められる静的フラグメンテーションではないフラグメンテーションを示す。
【００１５】
前記プロセッサは、前記他の無線通信端末がフラグメントの最小の大きさと指定した値に基づいて前記少なくとも一つのフラグメントのうち最初に第１フラグメントを生成し、前記ＴＸＯＰリミットを超過するＴＸＯＰを使用して、前記第１フラグメントを前記他の無線通信端末に伝送する。
【００１６】
前記無線通信端末が複数のＭＰＤＵ（ＭＡＣ  Ｐｒｏｔｏｃｏｌ  Ｄａｔａ  Ｕｎｉｔ）を含むＡ（Ａｇｇｒｅｇａｔｅ）−ＭＰＤＵを使用せず、前記少なくとも一つのフラグメントを前記他の無線通信端末に伝送すれば、前記プロセッサは、前記ＴＸＯＰリミットを超過するＴＸＯＰを使用して前記第１フラグメントを前記他の無線通信端末に伝送する。
【００１７】
前記プロセッサは、前記他の無線通信端末がフラグメントの最小の大きさと指定した値と同じ大きさで前記第１フラグメントを生成する。
【００１８】
前記プロセッサは、前記無線通信端末がフラグメントを生成し得る最大の個数だけ前記少なくとも一つのフラグメントを生成し、前記少なくとも一つのフラグメントのうち最後に生成する第１フラグメントを、前記ＴＸＯＰリミットを超過するＴＸＯＰを使用して前記他の無線通信端末に伝送する。
【００１９】
前記無線通信端末がフラグメントを生成し得る最大の個数は１６個である。
【００２０】
前記他の無線通信端末が前記少なくとも一つのフラグメントのうち一つである第１フラグメントの受信に明示的に失敗したら、前記プロセッサは、前記無線通信端末が第１フラグメントの後を継ぐフラグメントを伝送していないのかと、前記他の無線通信端末が前記第１フラグメントの後を継ぐフラグメントの受信に明示的に失敗したのかのうち少なくともいずれか一つに基づいて、前記第３フラグメントとは異なる大きさを有し、第３フラグメントと同じシーケンスナンバーと同じフラグメントナンバーを有する第４フラグメントを生成する。この際、前記プロセッサは、前記他の無線通信端末に前記第３フラグメントを再伝送する代わりに前記他の無線通信端末に前記第４フラグメントを伝送する。
【００２１】
前記無線通信端末と前記他の無線通信端末との間にＢｌｏｃｋＡＣＫ合意がなければ、前記プロセッサは、前記他の無線通信端末の能力に応じて決定されたフラグメンテーションレベルによって動的フラグメンテーションを行う。この際、前記フラグメンテーションレベルはフラグメントの伝送方法を示す。
【００２２】
前記無線通信端末は、ＴＸＯＰホルダー（ｈｏｌｄｅｒ）である。
【００２３】
本発明の実施例によって、無線で通信する無線通信端末の動作方法は、無線通信端末が無線媒介体でフレーム交換シーケンスを開始し得る権利を有する時間区間であるＴＸＯＰの最大値であるＴＸＯＰリミットに基づいて伝送を行うステップを含む。
【００２４】
前記ＴＸＯＰリミットに基づいて伝送を行うステップは、ＴＸＯＰリミットを超過するＴＸＯＰを使用して他の無線通信端末にビームフォーミングレポートポールトリガーフレームを伝送するステップと、前記ＴＸＯＰリミットを超過するＴＸＯＰ内で前記他の無線通信端末から前記ＢＲＰトリガーフレームに対する応答としてフィードバックフレームを受信するステップと、を含む。この際、前記ＢＲＰトリガーフレームは一つ以上の無線通信端末のフィードバックフレームの同時伝送をトリガーする。また、前記フィードバックフレームは、前記無線通信端末の前記他の無線通信端末に対するＭＩＭＯ伝送、または前記無線通信端末の前記他の無線通信端末に対するビームフォーミング伝送に使用される、前記他の無線通信端末が測定したチャネルの状態を示す。
【００２５】
前記ＢＲＰトリガーフレームを伝送するステップは、前記他の無線通信端末にサウンディングプロトコールシーケンスが始まることを知らせるＮＤＰＡフレームを伝送したときから予め指定された時間の後、前記他の無線通信端末に前記他の無線通信端末が前記チャネル状態の測定に使用するＮＤＰフレームを受信するステップと、前記無線通信端末が前記ＮＤＰＡフレーム、前記ＮＤＰフレーム、及び前記ＢＲＰトリガーフレームをＴＸＯＰリミット内で伝送すれば、前記他の無線通信端末に前記ＮＤＰフレームを伝送したときから予め指定された時間の後、前記ＴＸＯＰリミットを超過するＴＸＯＰを使用して前記ＢＲＰトリガーフレームを伝送するステップと、を含む。
【００２６】
前記ＴＸＯＰリミットを超過するＴＸＯＰを使用して前記ＢＲＰトリガーフレームを伝送するステップは、前記ＢＲＰトリガーフレームを前記ＴＸＯＰリミット内で伝送すれば、前記ＴＸＯＰリミットを超過するＴＸＯＰを使用して前記ＢＲＰトリガーフレームを伝送するステップを含む。
【００２７】
前記動作方法は、動的フラグメンテーションを使用して少なくとも一つのフラグメントを生成するステップを更に含み、前記ＴＸＯＰリミットに基づいて伝送を行うステップは、前記少なくとも一つのフラグメントを他の無線通信端末に伝送するステップを含む。この際、前記動的フラグメンテーションは、最後のフラグメントを除く全てのフラグメントの大きさを同じくフラグメンテーションすることが求められる静的フラグメンテーションではないフラグメンテーションを示す。
【００２８】
前記少なくとも一つのフラグメントを生成するステップは、前記他の無線通信端末がフラグメントの最小の大きさと指定した値に基づいて前記少なくとも一つのフラグメントのうち最初に第１フラグメントを生成するステップを含み、前記少なくとも一つのフラグメントを他の無線通信端末に伝送するステップは、前記ＴＸＯＰリミットを超過するＴＸＯＰを使用して前記第１フラグメントを前記他の無線通信端末に伝送するステップを含む。
【００２９】
前記少なくとも一つのフラグメントのうち最初に第１フラグメントを生成するステップは、前記他の無線通信端末がフラグメントの最小の大きさと指定した値と同じ大きさで前記第１フラグメントを生成するステップを含む。
【００３０】
前記少なくとも一つのフラグメントを生成するステップは、前記無線通信端末がフラグメントを生成し得る最大の個数だけ前記少なくとも一つのフラグメントを生成するステップを含み、前記少なくとも一つのフラグメントを他の無線通信端末に伝送するステップは、前記少なくとも一つのフラグメントのうち最後に生成する第２フラグメントを、前記ＴＸＯＰリミットを超過するＴＸＯＰを使用して前記他の無線通信端末に伝送するステップを含む。
【００３１】
前記動作方法は、前記他の無線通信端末が前記少なくとも一つのフラグメントのうち一つである第３フラグメントの受信に明示的に失敗したら、前記プロセッサは、前記無線通信端末が第３フラグメントの後を継ぐフラグメントを伝送したか、前記他の無線通信端末が前記第３フラグメントの後を継ぐフラグメントの受信に明示的に失敗したかのかのうち少なくともいずれか一つに基づいて前記第３フラグメントを再伝送するための前記第３フラグメントとは異なる大きさを有し、前記第３フラグメントとは異なる大きさを有し、前記第３フラグメントと同じシーケンスナンバーとフラグメントナンバーを有する第４フラグメントを生成するステップと、前記他の無線通信端末に前記第３フラグメントを再伝送する代わりに、前記他の無線通信端末に前記第４フラグメントを伝送するステップと、を含む。
【発明の効果】
【００３２】
本発明の一実施例は、ＴＸＯＰを使用する無線通信方法及びそれを利用する無線通信端末を提供する。
【図面の簡単な説明】
【００３３】
【図１】本発明の一実施例による無線ＬＡＮシステムを示す図である。
【図２】本発明の他の実施例による無線ＬＡＮシステムを示す図である。
【図３】本発明の一実施例によるステーションの構成を示すブロック図である。
【図４】本発明の一実施例によるアクセスポイントの構成を示すブロック図である。
【図５】本発明の一実施例によるステーションがアクセスポイントとリンクを設定する過程を概略的に示す図である。
【図６】本発明の実施例による無線通信端末がＴＸＯＰリミットに基づいてフレーム交換を行う動作を示す図である。
【図７】本発明の実施例による本発明の実施例による無線通信端末が動的にフラグメンテーションすることを示す図である。
【図８】本発明の実施例による無線通信端末が受信者の受信失敗を判断する動作と再伝送する動作を示す図である。
【図９】本発明の実施例による無線通信端末がＴＸＯＰリミット内で再伝送する動作を示す図である。
【図１０】本発明の実施例による無線通信端末がＴＸＯＰリミット内で再伝送する動作を示す図である。
【図１１】本発明の他の実施例による無線通信端末が再伝送の後に再伝送したフラグメントと同じシーケンスに含まれたフラグメントをＴＸＯＰリミット内で再伝送する動作を示す図である。
【図１２】本発明の実施例による無線通信端末が動的フラグメンテーションを使用すればＴＸＯＰリミットを超過する伝送動作を示す図である。
【図１３】本発明の実施例による無線通信端末が動的フラグメンテーションを使用すればＴＸＯＰリミットを超過する伝送動作を示す図である。
【図１４】本発明の実施例によってＴＸＯＰホルダーではない無線通信端末が再伝送する動作を示す図である。
【図１５】本発明のまた他の実施例によってＴＸＯＰホルダーではない無線通信端末が再伝送する動作を示す図である。
【図１６】本発明のまた他の実施例によってＴＸＯＰホルダーではない無線通信端末が再伝送する動作を示す図である。
【図１７】本発明の実施例による無線通信端末がＴＸＯＰリミットに関してサウンディングプロトコール動作を行うことを示す図である。
【図１８】本発明の実施例による無線通信端末がＴＸＯＰリミットに関してサウンディングプロトコール動作を行うことを示す図である。
【図１９】本発明の実施例による無線通信端末の動作を示す図である。
【発明を実施するための形態】
【００３４】
以下、添付した図面を参照し本発明の実施例について本発明が属する技術分野における通常の知識を有する者が容易に実施し得るように詳細に説明する。しかし、本発明は様々な異なる形態に具現されることができ、ここで説明する実施例に限らない。そして、図面において、本発明を明確にするために説明とは関係のない部分は省略しており、明細書全体にわたって類似した部分に対しては類似した図面符号をつけている。
【００３５】
また、ある部分がある構成要素を「含む」という際、これは特に反対する記載がない限り、他の構成要素を除くのではなく、他の構成要素を更に含むことを意味する。
【００３６】
本出願は、韓国特許出願第10-2017-0003137号（2017.01.09）、第10-2017-0008306号（2017.01.17）、第10-2017-0024265（2017.02.23） 及び 第10-2017-0057098号（2017.05.05）を基礎とした優先順位を主張し、優先順位の基礎となる上記各出願に記述され、実施例と記載事項は、本出願の詳細な説明に含まれているものとする。
【００３７】
図１は、本発明の一実施例による無線ＬＡＮシステムを示す図である。無線ＬＡＮシステムは一つまたはそれ以上のベーシックサービスセット（Ｂａｓｉｃ  Ｓｅｒｖｉｃｅ  Ｓｅｔ、ＢＳＳ）を含むが、ＢＳＳとは無事に同期化を果たして互いに通信し得る機器の集合を示す。一般に、ＢＳＳはインフラストラクチャＢＳＳ（ｉｎｆｒａｓｔｒｕｃｔｕｒｅ  ＢＳＳ）と独立ＢＳＳ（Ｉｎｄｅｐｅｎｄｅｎｔ  ＢＳＳ、ＩＢＳＳ）に区分されるが、図１はこのうちインフラストラクチャＢＳＳを示している。
【００３８】
図１に示したように、インフラストラクチャＢＳＳＢＳＳ１、ＢＳＳ２は、一つまたはそれ以上のステーションＳＴＡ１、ＳＴＡ２、ＳＴＡ３、ＳＴＡ４、ＳＴＡ５、分配サービス（Ｄｉｓｔｒｉｂｕｔｉｏｎ  Ｓｅｒｖｉｃｅ）を提供するステーションであるアクセスポイントＰＣＰ／ＡＰ−１、ＰＣＰ／ＡＰ−２、及び多数のアクセスポイントＰＣＰ／ＡＰ−１、ＰＣＰ／ＡＰ−２を連結する分配システム（Ｄｉｓｔｒｉｂｕｔｉｏｎ  Ｓｙｓｔｅｍ，  ＳＤ）を含む。
【００３９】
ステーション（ｓｔａｔｉｏｎ、ＳＴＡ）はＩＥＥＥ  ８０２．１１標準の基底に従う媒体接続制御（Ｍｅｄｉｕｍ  Ａｃｃｅｓｓ  Ｃｏｎｔｒｏｌ、  ＭＡＣ）と無線媒体に対する物理層（Ｐｈｙｓｉｃａｌ  Ｌａｙｅｒ）インタフェースを含む任意のディバイスであって、広い意味では非アクセスポイント（ｎｏｎ−ＡＰ）だけでなくアクセスポイント（ＡＰ）も含む。また、本明細書において、「端末」はｎｏｎ−ＡＰ  ＳＴＡまたはＡＰを指すか、両者を全て指す用語として使用される。無線通信のためのステーションはプロセッサ（Ｐｒｏｃｅｓｓｏｒ）と送受信部（ｔｒａｎｓｍｉｔ／ｒｅｃｅｉｖｅ  ｕｎｉｔ）を含み、実施例によってユーザインタフェース部とディスプレーユニットなどを更に含む。プロセッサは無線ネットワークによって伝送するフレームを生成するか、または前記無線ネットワークによって受信されたフレームを処理し、その他にもステーションを制御するための多様な処理をする。そして、送受信部は前記プロセッサと機能的に連結されており、ステーションのために無線ネットワークを介してフレームを送受信する。
【００４０】
アクセスポイント（Ａｃｃｅｓｓ  Ｐｏｉｎｔ、ＡＰ）は自らに結合されたステーションのために無線媒体を経由して分配システムＤＳに対する接続を提供する個体である。インフラストラクチャＢＳＳにおいて、非ＡＰステーション間の通信はＡＰを経由して行われることが原則であるが、ダイレクトリンクが設定された場合には非ＡＰステーション間での直接通信が可能になる。一方、本発明において、ＡＰはＰＣＰ（Ｐｅｒｓｏｎａｌ  ＢＳＳ  Ｃｏｏｒｄｉｎａｔｉｏｎ  Ｐｏｉｎｔ）を含むがねとして使用され、広い意味では集中制御器、基地局（Ｂａｓｅ  Ｓｔａｔｉｏｎ、ＧＳ）、ノードＢ、ＢＴＳ（Ｂａｓｅ  Ｔｒａｎｓｃｅｉｖｅｒ  Ｓｙｓｔｅｍ）、またはサイト制御器などの概念を全て含む。
【００４１】
複数のインフラストラクチャＢＳＳは分配システムを介して相互連結される。この際、分配システムを介して連結された複数のＢＳＳを拡張サービスセット（Ｅｘｔｅｎｄｅｄ  Ｓｅｒｖｉｃｅ  Ｓｅｔ、ＥＳＳ）とする。
【００４２】
図２は、本発明の他の実施例による無線ＬＡＮシステムである独立ＢＳＳを示す図である。図２の実施例において、図１の実施例と同じであるか相応する部分は重複する説明は省略する。
【００４３】
図２に示したＢＳＳ３は独立ＢＳＳであってＡＰを含まないため、全てのステーションＳＴＡ６、ＳＴＡ７がＡＰと接続されない状態である。独立ＢＳＳは分配システムとして接続が許容されず、自己完備的ネットワーク（ｓｅｌｆ−ｃｏｎｔａｉｎｅｄ  ｎｅｔｗｏｒｋ）を成す。独立ＢＳＳにおいて、それぞれのステーションＳＴＡ６、ＳＴＡ７はダイレクトで互いに連結される。
【００４４】
図３は、本発明の一実施例によるステーション１００の構成を示すブロック図である。
【００４５】
図示したように、本発明の実施例によるステーション１００は、プロセッサ１１０、送受信部１２０、ユーザインタフェース１４０、ディスプレーユニット１５０、及びメモリ１６０を含む。
【００４６】
まず、送受信部１２０は無線ＬＡＮパケットなどの無線信号を送受信し、ステーション１００に内装されているか外装として備われる。実施例によると、送受信部１２０は互いに異なる周波数バンドを利用する少なくとも一つの送受信モジュールを含む。例えば、前記送受信部１２０は２．４ＧＨｚ、５ＧＨｚ及び５０ＧＨｚなどの互いに異なる周波数バンドの送受信モジュールを含む。一実施例によると、ステーション１００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格によってＡＰまたは外部ステーションと無線通信を行う。送受信部１２０はステーション１００の性能及び要求事項によって一度に一つの送受信モジュールのみを動作させるか、同時に多数の送受信モジュールを共に動作させる。ステーション１００が複数の送受信モジュールを備える場合、各相受信モジュールはそれぞれ独立した形態に備えられてもよく、複数のモジュールが一つのチップに統合されて備えられてもよい。
【００４７】
次に、ユーザインタフェース部１４０はステーション１００に備えられて多様な形態の入出力手段を含む。つまり、ユーザインタフェース部１４０は多様な入力手段を利用してユーザの入力を受信し、プロセッサ１１０は受信されたユーザ入力に基づいてステーション１００を制御する。また、ユーザインタフェース部１４０は多様な出力手段を利用してプロセッサ１１０の命令に基づいて出力を行う。
【００４８】
次に、ディスプレーユニット１５０はディスプレー画面にイメージを出力する。前記ディスプレーユニット１５０はプロセッサ１１０によって行われるコンテンツまたはプロセッサ１１０の制御命令に基づいたユーザインタフェースなどの多様なディスプレーオブジェクトを出力する。また、メモリ１４０はステーション１１０で使用される制御プログラム及びそれによる各種データを貯蔵する。このような制御プログラムにはステーション１００がＡＰまたは外部ステーションと接続を行うが、必要な接続プログラムが含まれる。
【００４９】
本発明のプロセッサ１１０は多様な命令またはプログラムを行い、ステーション１００内部のデータをプロセスする。また、前記プロセッサ１１０は上述したステーション１００の各ユニットを制御し、ユニット間のデータ送受信を制御する。本発明の実施例によると、プロセッサ１１０は、メモリ１６０に貯蔵されたＡＰとの接続のためのプログラムを実行し、ＡＰが伝送した通信設定メッセージを受信する。また、プロセッサ１１０は通信設定メッセージに含まれたステーション１００の優先条件に関する情報を判読し、ステーション１００の優先条件に関する情報に基づいてＡＰに対する接続を要請する。本発明のプロセッサ１１０はステーション１００のメインコントロールユニットを指してもよく、実施例によってはステーション１００の一部構成、例えば、送受信部１２０などを個別的に制御するためのコントロールユニットを指してもよい。つまり、プロセッサ１１０は送受信部１２０から送受信される無線信号をモジュレーションするモジュレーション部またはデモジュレーション部（ＭＰＤＵｌａｔｏｒ  ａｎｄ／ｏｒ  ｄｅＭＰＤＵｌａｔｏｒ）である。プロセッサ１１０は本発明の実施例によるステーション１００の無線信号送受信の各種動作を制御する。これに対する具体的な実施例は後述する。
【００５０】
図３に示したステーション１００は本発明の一実施例によるブロック図であって、分離して示したブロックはディバイスのエレメントを論理的に区別して示したものである。よって、上述したディバイスのエレメントは、ディバイスの設計によって一つのチップまたは複数のチップで装着される。例えば、前記プロセッサ１１０及び送受信部１２０は一つのチップに統合されて具現されてもよく、別途のチップで具現されてもよい。また、本発明の実施例において、前記ステーション１００の一部構成、例えばユーザインタフェース部１４０及びディスプレーユニット１５０などはステーション１００に選択的に備えられる。
【００５１】
図４は、本発明の一実施例によるＡＰ２００の構成を示すブロック図である。
【００５２】
図示したように、本発明の一実施例によるＡＰ２００はプロセッサ２１０、送受信部２２０及びメモリ２６０を含む。図４において、ＡＰ２００の構成のうち図３のステーション１００の構成と同じであるか相応する部分に対しては重複した説明は省略する。
【００５３】
図４を参照すると、本発明によるＡＰ２００は少なくとも一つの周波数バンドでＢＳＳを運営するための送受信部２２０を備える。図３の実施例で説明したように、前記ＡＰ２００の送受信部２２０も互いに異なる周波数バンドを利用する複数の送受信モジュールを含む。つまり、本発明の実施例によるＡＰ２００は互いに異なる周波数バンド、例えば２．４ＧＨｚ、５ＧＨｚ、６０ＧＨｚのうち２つ以上の送受信モジュールを共に備える。好ましくは、ＡＰ２００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格に従ってステーションと無線通信を行う。前記送受信部２２０はＡＰ２００の性能及び要求事項に応じて一度に一つの送受信モジュールのみを動作させるか、同時に多数の送受信モジュールを共に動作させてもよい。
【００５４】
次に、メモリ２６０はＡＰ２００で使用される制御プログラム及びそれによる各種データを貯蔵する。このような制御プログラムにはステーションの接続を管理する管理プログラムが含まれる。また、プロセッサ２１０はＡＰ２００の各ユニットを制御し、ユニット間のデータ送受信を制御する。本発明の実施例によると、プロセッサ２１０はメモリ２６０に貯蔵されたステーションとの接続のためのプログラムを実行し、一つ以上のステーションに対する通信設定メッセージを伝送する。この際、通信設定メッセージには各ステーションの接続優先条件に関する情報が含まれる。また、プロセッサ２１０はステーションの接続要請に応じて接続設定を行う。一実施例によると、プロセッサ２１０は送受信部２２０から送受信される無線信号をモジュレーションするモジュレーション部またはデモジュレーション部である。プロセッサ２１０は本発明の実施例によるＡＰ２００の無線信号送受信の各種動作を制御する。これに対する具体的な実施例は後述する。
【００５５】
図５は、ＳＴＡがＡＰとリンクを設定する過程を概略的に示している。
【００５６】
図５を参照すると、ＳＴＡ１００とＡＰ２００間のリンクは大きくスキャニング（ｓｃａｎｎｉｎｇ)、認証（ａｕｔｈｅｎｔｉｃａｔｉｏｎ)、及び結合（ａｓｓｏｃｉａｔｉｏｎ)の３つのステップを介して設定される。まず、スキャニングステップは、ＡＰ２００が運営するＢＳＳのアクセス情報をＳＴＡ１００が獲得するステップである。スキャニングを行うための方法としては、ＡＰ２００が周期的に伝送するビーコン（ｂｅａｃｏｎ)メッセージＳ１０１のみを活用して情報を獲得するパッシブスキャニング（ｐａｓｓｉｖｅ  ｓｃａｎｎｉｎｇ)方法と、ＳＴＡ１０がＡＰにプローブ要請（ｐｒｏｂｅ  ｒｅｑｕｅｓｔ)を伝送しＳ１０３、ＡＰからプローブ応答（ｐｒｏｂｅ  ｒｅｓｐｏｎｓｅ)を受信してＳ１０５、アクセス情報を獲得するアクティブスキャニング（ａｃｔｉｖｅ  ａｃａｎｎｉｎｇ)方法がある。
【００５７】
スキャニングステップにおいて無線アクセス情報の受信に成功したＳＴＡ１００は、認証要請（ａｕｔｈｅｎｔｉｃａｔｉｏｎ  ｒｅｑｕｅｓｔ)を伝送しＳ１０７ａ、ＡＰ２００から認証応答（ａｕｔｈｅｎｔｉｃａｔｉｏｎ  ｒｅｓｐｏｎｓｅ)を受信してＳ１０７ｂ、認証ステップを行う。認証ステップが行われた後、ＳＴＡ１００は結合要請（ａｓｓｏｃｉａｔｉｏｎ  ｒｅｑｕｅｓｔ)を伝送しＳ１０９ａ、ＡＰ２００から結合応答（ａｓｓｏｃｉｔａｔｉｏｎ  ｒｅｓｐｏｎｓｅ)を受信してＳ１０９ｂ、結合ステップを行う。本明細書において、結合とは基本的に無線結合を意味するが、本発明はこれに限らず、広い意味での結合は無線結合及び有線結合を全て含む。
【００５８】
一方、追加的に８０２．１Ｘ基盤の認証ステップＳ１１１、及びＤＨＣＰを介したＩＰアドレス獲得ステップＳ１１３が行われる。図５において、認証サーバ３００はＳＴＡ１００と８０２．１Ｘ基盤の認証を処理するサーバであって、ＡＰ２００に物理的に結合されて存在するか、別途のサーバとして存在してもよい。
【００５９】
具体的な実施例ではAP（200）は、ad-hocネットワークのように、外部の分配サービス（Distribution Service）に接続されていない独立したネットワークでの通信媒体リソースを割り当ててスケジューリングを実行する無線通信端末であることができる。また、AP（200）は、ベースステーション（base station）、eNB、およびトランスミッションポイント（TP）のうちの少なくともいずれかであることができる。また、AP（200）は、ベースの無線通信端末と呼ばれることができる。
【００６０】
また、ベースの無線通信端末は、複数の無線通信端末との通信で通信媒体（medium）リソースを割り当ててスケジューリング（scheduling）する無線通信端末であることができる。具体的には、ベースの無線通信端末は、セルコーディネーター（cell coordinator）の役割を実行することができる。具体的な実施例では、ベースの無線通信端末は、ad-hocネットワークのように、外部の分配サービス（Distribution Service）に接続されていない独立したネットワークでの通信媒体リソースを割り当ててスケジューリングを実行する無線通信端末であることができる。
【００６１】
無線通信端末は、トラフィックをフラグメンテーション（ｆｒａｇｍｅｎｔａｔｉｏｎ）して伝送する。この際、トラフィックは、ＭＳＤＵ（ＭＡＣ  ｓｅｒｖｉｃｅ  ｄａｔａ  ｕｎｉｔ）、Ａ−ＭＳＤＵ、及びＭＭＰＤＵ（ｍａｎａｇｅｍｅｎｔ  ｐｒｏｔｏｃｏｌ  ｄａｔａ  ｕｎｉｔ）のうち少なくとも一つを含む。詳しくは、無線通信端末は、一つのＭＳＤＵ、一つのＡ−ＭＳＤＵ、及び一つのＭＭＰＤＵのうち少なくともいずれか一つをフラグメンテーションして伝送する。説明の便宜上、フラグメンテーションを介して精製されたＭＳＤＵの一部（ｐｏｒｔｉｏｎ）、Ａ−ＭＳＤＵの一部、またはＭＭＰＤＵの一部をフラグメンテーションと称する。また、データを伝送する無線通信端末を伝送者（ｏｒｉｇｉｎａｔｏｒ）と称し、データを受信する無線通信端末を受信者（ｒｅｃｉｐｉｅｎｔ）と称する。
【００６２】
詳しくは、無線通信端末は、一つのＭＳＤＵ、一つのＡ−ＭＳＤＵ、及び一つのＭＭＰＤＵのうち少なくともいずれか一つをフラグメンテーションして複数のフラグメントを生成する。この際、無線通信端末は生成された複数のフラグメントを複数のＭＰＤＵに伝送する。また、複数のフラグメントを受信した無線通信端末は、複数のフラグメントをデフラグメンテーションして（ｄｅｆｒａｇｍｅｎｔ）、一つのＭＳＤＵ、一つのＡ−ＭＳＤＵ、及び一つのＭＭＰＤＵのうち少なくともいずれか一つを獲得する。この際、ＭＰＤＵはＳ−ＭＰＤＵやＡ−ＭＰＤＵであってもよい。
【００６３】
受信者は、複数のフラグメントをデフラグメンテーションするために十分なバッファ容量とプロセッシング能力が求められる。そのために、伝送者は受信者が支援し得るデフラグメンテーションレベルを知っている必要がある。この際、フラグメンテーションレベルはフラグメントの伝送方法を示す。よって、無線通信端末は、無線通信端末が支援するフラグメンテーションレベルについてシグナリングする。フラグメンテーションレベルは４つのレベルに区分される。レベル０は、無線通信端末が受信するＭＳＤＵに対するフラグメンテーションを支援しないことを示す。また、レベル１は、無線通信端末が一つのフラグメントを含むＭＰＤＵを受信し得ることを示す。この際、ＭＰＤＵは他のＭＰＤＵと結合（ａｇｇｒｅｇａｔｅ）されないシングルＭＰＤＵ、またはＡ−ＭＰＤＵではないＭＰＤＵである。更に、レベル２は、無線通信端末がＭＳＤＵごとに一つのフラグメントを含むＡ−ＭＰＤＵを受信し得ることを示す。詳しくは、レベル２は、無線通信端末がＭＳＤＵごとに一つ以下のフラグメントを含むＡ−ＭＰＤＵを受信し得ることを示す。レベル３は、無線通信端末がＭＳＤＵごとに複数のフラグメントを含むＡ−ＭＰＤＵを受信し得ることを示す。詳しくは、レベル３は、無線通信端末がＭＳＤＵごとに４つ以下のフラグメントを含むＡ−ＭＰＤＵを受信し得ることを示す。
【００６４】
また、無線通信端末は競争手順を介して無線媒介体（ｗｉｒｅｌｅｓｓ  ｍｅｄｉｕｍ）を使用し得る権利（ｒｉｇｈｔ）を獲得するか許諾を得る。無線通信端末が無線媒介体でフレーム交換シーケンスを開始し得る権利を有する時間区間をＴＸＯＰと称する。ＴＸＯＰは、開始時間と最大デュレーションに定義される。また、ＴＸＯＰ内でフレームは即刻的な（ｉｍｍｅｄｉａｔｅ）応答の形態で交換される。この際、即刻的な応答は、予め指定された時間間隔に応答フレームが伝送されることを示す。予め指定された時間は、ＳＩＦＳ（Ｓｈｏｒｔ  Ｉｎｔｅｒ−Ｆｒａｍｅ  Ｓｐａｃｅ）である。競争手順を介してＴＸＯＰを獲得するか、ＴＸＯＰの許諾を得た（ｇｒａｎｔ）無線通信端末をＴＸＯＰホルダーと称する。また、フレーム交換シーケンスにおいて、ＴＸＯＰホルダーから伝送されたフレームに対する応答としてフレームを伝送する無線通信端末をＴＸＯＰ応答者（ｒｅｓｐｏｎｄｅｒ）と称する。この際、フレームはＭＡＣフレームであって、上述したＭＰＤＵと同じ意味で使用される。いずれか一つの無線通信端末が無線媒介体を長時間独占することを防止するために、ＴＸＯＰデュレーションの最大値が定義される。ＴＸＯＰデュレーションの最大値をＴＸＯＰリミット（ｌｉｍｉｔ）と称する。この際、ＴＸＯＰリミットはＥＤＣＡＦ（Ｅｎｈａｎｃｅｄ  Ｄｉｓｔｒｉｂｕｔｅｄ  Ｃｈａｎｎｅｌ  Ａｃｃｅｓｓ  Ｆｕｎｃｔｉｏｎ）ごとに定義される。
【００６５】
無線通信端末のフラグメンテーション動作に関し、ＴＸＯＰリミットが問題となり得る。それについては、図６乃至図１３を介して説明する。
【００６６】
図６は、本発明の実施例による無線通信端末がＴＸＯＰリミットに基づいてフレーム交換を行う動作を示す図である。
【００６７】
無線通信端末は、ベース無線通信端末からＥＤＣＡパラメータセットを受信する。この際、無線通信端末は、受信したＥＤＣＡパラメータセットに基づいてＭＩＢ（ｍａｎａｇｅｍｅｎｔ  ｉｎｆｏｒｍａｔｉｏｎ  ｂａｓｅ）アトリビュートを設定する。無線通信端末は、ＴＸＯＰリミットより小さいか同じであるデュレーション内でデータをフレーム交換する。この際、ＴＸＯＰリミットはＥＤＣＡＦごとに設定される。無線通信端末が伝送しようとするトラフィックのＥＤＣＡＦに当たるＴＸＯＰリミットが０であれば、無線通信端末はＭＰＤＵのデュレーションに関わらず一つのＭＰＤＵのみを伝送する。この際、一つのＭＰＤＵは一つのＡ−ＭＰＤＵを示す。無線通信端末が伝送しようとするトラフィックのＥＤＣＡＦに当たるＴＸＯＰリミットが０ではなければ、無線通信端末はＴＸＯＰリミット内でデータまたはマネジメントフレームを伝送すると制限される。詳しくは、データ交換シーケンスのデュレーションのため無線通信端末がＴＸＯＰリミットを超過（ｅｘｃｅｅｄ）すると判断されれば、無線通信端末はデータをフラグメンテーションしてフラグメントを伝送する。この際、データはＭＡＣフレームのペイロードであるＭＳＤＵを示す。一定な場合、無線通信端末がデータをフラグメンテーションすることはできない。特定の状況において、無線通信端末はＴＸＯＰリミットを超過する。特定な状況とは、無線通信端末が一つのデータ（ＭＳＤＵ）またはＭＭＰＤＵを伝送する場合である。また、特定な状況は、無線通信端末が２つ以上のＭＰＤＵを集合して伝送する場合を含まない。図６（ａ）は、無線通信端末がＭＳＤＵをフラグメンテーションし、ＴＸＯＰリミット内でフラグメントを伝送することを示す。また、無線通信端末がＡ−ＭＳＤＵを伝送しようとし、Ａ−ＭＳＤＵの伝送のためＴＸＯＰリミットが超過すると判断されれば、無線通信端末はＡ−ＭＳＤＵの集合を取り消す。よって、無線通信端末がＡ−ＭＳＤＵを伝送しようとする際、無線通信端末はＴＸＯＰリミットを超過することができない。
【００６８】
無線通信端末は、以下の状況のうち少なくとも一つであればＴＸＯＰリミットを超過する。
【００６９】
１）無線通信端末がＢｌｏｃｋ  ＡＣＫ合意（ａｇｇｒｅｍｅｎｔ）があるＴＩＤに当たるＭＳＤＵを伝送すれば、無線通信端末はＴＸＯＰリミットを超過するＴＸＯＰを使用してＭＳＤＵを伝送する。この際、Ｂｌｏｃｋ  ＡＣＫ合意は、Ｂｌｏｃｋ  ＡＣＫフレームの伝送方法に関する合意を示す。本明細書において、フレームはＭＡＣフレームを称するのに使用される。図６（ｂ）は、無線通信端末がＢｌｏｃｋ  ＡＣＫ合意があるＴＩＤに当たるＭＳＤＵを伝送する際、ＴＸＯＰリミットを超過するＴＸＯＰを使用してＭＳＤＵを伝送する動作を示す。
【００７０】
２）無線通信端末が以前伝送したＭＰＤＵを更に伝送すれば、無線通信端末はＴＸＯＰリミットを超過するＴＸＯＰを使用してＭＰＤＵを伝送する。この際、無線通信端末は以前伝送したＭＰＤＵと同じＭＰＤＵを伝送する。受信者が以前受信したＭＰＤＵと同じシーケンスナンバーとフラグメントナンバーを有するＭＰＤＵを受信すれば、受信者は以前受信したＭＰＤＵを廃棄（ｄｉｓｃａｒｄ）する恐れがあるためである。図６(ｃ）の実施例において、無線通信端末はＭＣＳ３（Ｍｏｄｕｌａｔｉｏｎ  ＆  Ｃｏｄｉｎｇ  Ｓｃｈｅｍｅ  ３）を使用してＭＰＤＵの伝送を試みる。無線通信端末はＭＰＤＵの伝送に失敗し、ＭＣＳ２を使用して同じＭＰＤＵを再伝送する。この際、無線通信端末はＴＸＯＰリミットを超過して同じＭＰＤＵを再伝送する。
【００７１】
３）無線通信端末は、最後のフラグメントを除く全てのフラグメントの大きさが同じで、最後のフラグメントが他のフラグメントの大きさより小さくなるように、ＭＳＤＵ、ＭＭＰＤＵ、またはＡ−ＭＳＤＵをフラグメンテーションする。このような規則に従って、無線通信端末が最大フラグメントの個数だけフラグメントを生成したら、無線通信端末はＴＸＯＰリミットを超過するＴＸＯＰを使用してフラグメントを伝送する。この際、最大フラグメントの個数は１６個である。詳しくは、無線通信端末が最初のフラグメントに対する伝送を試みる時点に最大フラグメント個数だけフラグメントを生成したら、無線通信端末は伝送するフラグメントのフラグメントナンバーに関わらずＴＸＯＰリミットを超過するＴＸＯＰを使用してフラグメントを伝送する。無線通信端末がフラグメントが許容される最大の個数だけフラグメントを生成したにもかかわらず、フラグメントの伝送がＴＸＯＰリミットを超過したためである。図６（ｄ）の実施例において、無線通信端末はＭＳＤＵまたはＭＭＰＤＵをフラグメンテーションして１６個のフラグメントを生成する。この際、１６個はフラグメントが許容される最大の個数である。よって、無線通信端末はＴＸＯＰリミットを超過してフラグメントを伝送する。
【００７２】
４）無線通信端末が以前再伝送したフラグメントのＭＳＤＵまたはＭＭＰＤＵに当たるフラグメントを最初に伝送すれば、無線通信端末はＴＸＯＰリミットを超過するＴＸＯＰを使用してフラグメントを伝送する。図６（ｅ）の実施例において、無線通信端末はＭＣＳ３を使用して第１フラグメント（ＦＮ：０）の伝送を試みる。無線通信端末はフラグメントの伝送に失敗し、ＭＣＳ２を使用して第１フラグメント（ＦＮ：０）を再伝送する。この際、無線通信端末はＴＸＯＰリミットを超過するＴＸＯＰを使用して第１フラグメント（ＦＮ：０）を再伝送する。また、無線通信端末が第１フラグメント（ＦＮ：０）を再伝送した後、無線通信端末はＴＸＯＰリミットを超過するＴＸＯＰを使用して、第１フラグメント（ＦＮ：０）と該当ＭＳＤＵまたは該当ＭＭＰＤＵのフラグメントである第２フラグメント（ＦＮ：１）を伝送する。この際、第２フラグメント（ＦＮ：１）は第１フラグメント（ＦＮ：０）を伝送した後、該当ＭＳＤＵまたは該当ＭＭＰＤＵのフラグメントのうち最初（ｉｎｉｔｉａｌ）に伝送されるフラグメントである。
【００７３】
５）無線通信端末がＭＳＤＵまたはＭＭＰＤＵをフラグメンテーションすることができなければ、無線通信端末はＴＸＯＰリミットを超過するＴＸＯＰを使用してＭＳＤＵまたはＭＭＰＤＵを伝送する。詳しくは、無線通信端末は、グループアドレスを有する（ｇｒｏｕｐ  ａｄｄｒｅｓｓｅｄ）ＭＭＰＤＵをフラグメンテーションすることができない。また、無線通信端末はコントロールフレームをフラグメンテーションすることができない。図６（ｆ）の実施例において、無線通信端末はＭＳＤＵまたはＭＭＰＤＵをフラグメンテーションすることができない。よって、無線通信端末はＴＸＯＰリミットを超過するＴＸＯＰを使用して、ＭＳＤＵまたはＭＭＰＤＵを伝送する。
【００７４】
上述した説明において、無線通信端末はＴＸＯＰホルダーである。また、無線通信端末がＴＸＯＰリミットを超過するということは、無線通信端末はＴＸＯＰリミットを超過するＴＸＯＰを使用して伝送を行うことをいう。
【００７５】
図７は、本発明の実施例による本発明の実施例による無線通信端末が動的にフラグメンテーションすることを示す図である。
【００７６】
無線通信端末は、静的（ｓｔａｔｉｃ）フレグメンテーションだけでなく動的（ｄｙｎａｍｉｃ）フラグメンテーションも行う。静的フラグメンテーションは、無線通信端末が、最後のフラグメントを除く全てのフラグメントの大きさが同じで、最後のフラグメントの大きさが異なるフラグメントの大きさより小さくなるようにフラグメントを生成することをいう。静的フラグメントは、静的フラグメンテーションによって生成されたフラグメントを指す。動的フラグメンテーションは、無線通信端末が各フラグメントの大きさが同じであることを要求されないフラグメンテーションをいう。詳しくは、動的フラグメンテーションにおいて、無線通信端末は最後のフラグメントを除く全てのフラグメントの大きさを同じくフラグメンテーションすることが要求されない。動的フラグメントは、動的フラグメンテーションによって生成されたフラグメントを指す。
【００７７】
動的フラグメンテーションにおいて、無線通信端末は以下の原則のうち少なくともいずれか一つのように動作する。１）無線通信端末は、動的フラグメンテーションを支援するのかをシグナリングする。２）無線通信端末は、受信者がシグナリングした最初の大きさより大きいか同じである最初のフラグメントを伝送すべきである。３）無線通信端末は、Ｂｌｏｃｋ  ＡＣＫ合意過程において、ＡＤＤＢＡ  ｅｘｔｅｎｓｉｏｎエレメントを介してＴＩＤごとにフラグメントレベルを設定する。４）無線通信端末は、Ａ−ＭＳＤＵをフラグメンテーションする。５）フラグメンテーションレベルがレベル２またはレベル３であれば、無線通信端末はＭＭＰＤＵのフラグメントをＡ−ＭＰＤＵ当たり１つずつ伝送する。フラグメンテーションレベルがレベル１であれば、無線通信端末はＭＭＰＤＵのフラグメントをシングルＭＰＤＵ（Ｓｉｎｇｌｅ−ＭＰＤＵ、Ｓ−ＭＰＤＵ）を使用して伝送する。
【００７８】
無線通信端末は受信者とのＢＬＯＣＫＡＣＫ合意を介して伝送しようとするトラフィックに対するフラグメンテーションレベルに関して決定し、決定したフラグメンテーションによって伝送しようとするトラフィックをフラグメンテーションする。無線通信端末が伝送しようとするトラフィックに関する受信者とのＢＬＯＣＫＡＣＫ合意がなければ、無線通信端末は受信者の能力（ｃａｐａｂｉｌｉｔｙ）に基づいて決定されたフラグメンテーションレベルによって動的フラグメンテーションを行う。この際、無線通信端末は受信者が伝送するＣａｐａｂｉｌｉｔｉｅｓ  Ｉｎｆｏｒｍａｔｉｏｎフィールドに基づき、受信者の能力を判断する。具体的な実施例において、ＢＬＯＣＫＡＣＫ合意がなくても受信者のＣａｐａｂｉｌｉｔｉｅｓ  Ｉｎｆｏｒｍａｔｉｏｎフィールドの値が予め指定された値であれば、無線通信端末はフラグメンテーションレベル１によってフラグメントされたＭＭＰＤＵまたはＭＳＤＵを受信者に伝送する。この際、予め指定された値は１である。また、ＢＬＯＣＫＡＣＫ合意がなくても受信者のＣａｐａｂｉｌｉｔｉｅｓ  Ｉｎｆｏｒｍａｔｉｏｎフィールドの値が予め指定された値であれば、無線通信端末はフラグメンテーションレベル１またはレベル２によってフラグメントされたＭＭＰＤＵまたはＭＳＤＵを受信者に伝送する。この際、予め指定された値は２である。具体的な実施例において、ＢＬＯＣＫＡＣＫ合意がなくても受信者のＣａｐａｂｉｌｉｔｉｅｓ  Ｉｎｆｏｒｍａｔｉｏｎフィールドの値が予め指定された値であれば、無線通信端末はフラグメンテーションレベル１またはレベル３によってフラグメントされたＭＭＰＤＵまたはＭＳＤＵを受信者に伝送する。この際、予め指定された値は３である。図７の実施例において、伝送者と受信者との間のＢＬＯＣＫＡＣＫ合意が存在していない。この際、伝送者は受信者が伝送したＣａｐａｂｉｌｉｔｉｅｓ  Ｉｎｆｏｒｍａｔｉｏｎフィールド値に基づいてフラグメンテーションレベルをレベル１に決定する。伝送者は、フラグメンテーションレベルレベル１によって３つの動的フラグメントを生成する。このような実施例において、無線通信端末はシーケンスとフラグメントをシーケンスナンバーとフラグメントナンバーの順に伝送する。この際、無線通信端末が、特定シーケンスのフラグメントを同じシーケンスに含み、該当フラグメントのフラグメントナンバーより小さいフラグメントナンバーを有するフラグメントより先に受信すれば、無線通信端末は該当シーケンスのフラグメントを含む全てのＭＰＤＵをキャッシュから削除する。また、無線通信端末が、特定シーケンスを該当シーケンスのシーケンスナンバーより小さいシーケンスナンバーを有するシーケンスより先に受信すれば、無線通信端末は該当シーケンスを含む全てのＭＰＤＵをキャッシュから削除する。
【００７９】
また、無線通信端末が伝送しようとするトラフィックに関する受信者とのＢＬＯＣＫＡＣＫ合意がなければ、無線通信端末がＭＭＰＤＵを伝送する場合を含む。また、無線通信端末が伝送しようとするトラフィックに関する受信者とのＢＬＯＣＫＡＣＫ合意がなければ、ＱｏＳ  Ｎｏ  Ａｃｋと指定されたＴＩＤに当たるＭＰＤＵを伝送する場合を含む。ＱｏＳ  Ｎｏ  Ａｃｋに当たるＭＰＤＵに関しては再伝送が要求されないため、無線通信端末は、ＱｏＳ  Ｎｏ  Ａｃｋに当たるＭＰＤＵに関してはＴＸＯＰリミットの例外動作を適用しない。
【００８０】
伝送者と受信者が一つ以上のＴＩＤに対して動的フラグメンテーションについて交渉したら、伝送者は一つ以上のＴＩＤのうち最も高いフラグメンテーションレベルにシグナリングされたＴＩＤのフラグメンテーションレベルによって受信者に伝送するトラフィックをフラグメンテーションする。この際、伝送者と受信者はＡＤＤＢＡ  ｅｘｔｅｎｓｉｏｎを使用して動的フラグメンテーションについて交渉する。また、受信者はＡＤＤＢＡ応答を使用してＴＩＤ別のフラグメンテーションレベルをシグナリングする。
【００８１】
このように、無線通信端末が動的フラグメンテーションを使用すれば、無線通信端末が静的フラグメンテーションを使用する際より柔軟にフラグメントを生成することができる。無線通信端末が静的フラグメンテーションを使用すれば、ＴＸＯＰリミットを遵守できない状況であっても、無線通信端末は動的フラグメンテーションを使用してＴＸＯＰリミットを遵守することができる。また、無線通信端末が動的フラグメンテーションを使用すれば、ＴＸＯＰリミットに対する例外状況において、無線通信端末が他の無線通信端末との公平性を害しながら伝送する恐れがある。よって、無線通信端末のＴＸＯＰリミットに関する動作について新たに定義する必要がある。
【００８２】
図８乃至図１１を介して、無線通信端末の再伝送に関し、無線通信端末がＴＸＯＰリミットを超過するＴＸＯＰを使用して再伝送する場合について説明する。本明細書において、無線通信端末がＴＸＯＰリミットを超過するとは、該当ＴＸＯＰの開始地点からＴＸＯＰリミットが指示する最大デュレーションを超えてまでデータ交換シーケンスを行うことを指す。
【００８３】
図８は、本発明の実施例による無線通信端末が受信者の受信失敗を判断する動作と再伝送する動作を示す図である。
【００８４】
本発明の実施例による無線通信端末がＡＣＫレフーム、Ｃ（Ｃｏｍｐｒｅｓｓｅｄ）−ＢＡフレーム、Ｍ（Ｍｕｌｔｉ−Ｓｔａｔｉｏｎ）−ＢＡフレームのようにデータの受信可否を示すフレームをＡ−ＭＰＤＵを使用して伝送すれば、無線通信端末は受信可否を示すフレームをＡ−ＭＰＤＵの最初のＭＰＤＵに挿入する。この再、受信可否は、無線通信端末がトラフィックの受信に成功したことを示す。トラフィックの受信に成功したことは、無線通信端末が受信したトラフィックがＦＣＤ（Ｆｒａｍｅ  Ｃｈｅｃｋ  Ｓｅｑｕｅｎｃｅ）フィールドを利用した検証に通ったことを示す。また、本明細書において、伝送に成功したとは、無線通信端末が伝送したトラフィックがＦＣＳフィールドを利用した受信者の検証に通ったことを示す。よって、本発明による無線通信端末は、無線通信端末が受信したＡ−ＭＰＤＵが予め指定された位置に受信可否を示すフレームを含むのかに基づいて受信者の受信成功可否を判断する。詳しくは、無線通信端末が受信したＡ−ＭＰＤＵが予め指定された位置に受信可否を示すフレームを含まなければ、無線通信端末は、受信者が無線通信端末が以前伝送したトラフィックを受信するのに失敗したと判断する。また、本発明の実施例による無線通信端末は、受信可否を示すフレームが含むＢＡビットマップフィールドに基づいて受信者が無線通信端末が以前伝送したトラフィックを受信するのに失敗したのかを判断する。詳しくは、無線通信端末が受信したＢＡフレームのＢＡビットマップフィールドの各ビットが０を指示すれば、無線通信端末はビットに当たるトラフィックの伝送に失敗したと判断する。この際、ＢＡフレームは、Ｍ−ＢＡフレーム、Ｃ−ＢＡフレーム、及び一般的なＢＡフレームのうちいずれか一つである。
【００８５】
図８の実施例において、アクセスポイントは第１ステーションの上向き伝送をトリガーするトリガーフレームを伝送する。第１ステーションはトリガーフレームを受信し、トリガーフレームに基づいてトリガー基盤ＰＰＤＵ（ＨＥ  ＴＢ  ＰＰＤＵ）を伝送する。この際、アクセスポイントは、トリガー基盤ＰＰＤＵが含む一つのＭＰＤＵ（ＳＮ：２）に対する受信に失敗する。アクセスポイントは、第１ステーションから受信したＭＰＤＵの受信可否を示すＢＡフレームを含むマルチユーザＰＰＤＵ（ＨＥ  ＭＵ  ＰＰＤＵ）を伝送する。
【００８６】
本発明の実施例による無線通信端末は、以下のような実施例を介して受信者のＡＣＫフレーム伝送失敗と無線通信端末の伝送失敗を区別する。無線通信端末が以前使用したＭＣＳより低いＭＣＳでトラフィックを再伝送すれば、無線通信端末は伝送に失敗したトラフィックがフラグメンテーションし、変更された大きさを有するフラグメントを伝送する。それを介し、無線通信端末はＴＸＯＰリミットを超過せずもトラフィックを再伝送することができる。それについては図９を介して説明する。
【００８７】
図９乃至図１０は、本発明の実施例による無線通信端末がＴＸＯＰリミット内で再伝送する動作を示す図である。
【００８８】
無線通信端末がフラグメントを再伝送する際、無線通信端末は受信者が受信に失敗したフラグメントが含まれたシーケンスにおいて、受信者が受信に失敗したフラグメントをフラグメントのフラグメントナンバーより大きいフラグメントナンバーを有するフラグメントの受信に成功したのかに基づいて再伝送動作を異ならせる。説明の便宜上、受信者が受信に失敗したフラグメントを失敗したフラグメントと称する。また、フラグメントのフラグメントナンバーより大きいフラグメントナンバーを有するフラグメントを、失敗したフラグメントの後を継ぐ（ｆｏｌｌｏｗｉｎｇ）フラグメントと称する。無線通信端末が失敗したフラグメントの後を継ぐフラグメントに対するＡＣＫを受信したか、受信者が失敗したフラグメントの後を継ぐフラグメントを受信したことが分からなければ、無線通信端末は再伝送のために失敗したフラグメントの大きさとは異なる大きさを有するフラグメントを生成することができない。この際、無線通信端末は、失敗したフラグメントの大きさと同じ大きさを有するフラグメントを更に伝送する。また、無線通信端末は、ＴＸＯＰリミット内で失敗したフラグメントの大きさと同じ大きさを有するフラグメントを伝送する。
【００８９】
無線通信端末が失敗したフラグメントの後を継ぐフラグメントを伝送しなかったか、及び受信者が失敗したフラグメントの後を継ぐフラグメントの受信に明示的に（ｅｘｐｌｉｃｉｔｌｙ）失敗したかのうち少なくともいずれか一つに基づいて、無線通信端末は失敗したフラグメントの大きさとは異なる大きさを有するフラグメントを再伝送のために生成する。この際、無線通信端末は、失敗したフラグメントを再伝送する代わりに、失敗したフラグメントの大きさとは異なる大きさを有するフラグメントを再伝送する。詳しくは、無線通信端末が失敗したフラグメントの後を継ぐフラグメントを伝送しなかったか、受信者が失敗したフラグメントの後を継ぐフラグメントの受信に明示的に失敗したら、無線通信端末は再伝送のために失敗したフラグメントの大きさとは異なる大きさを有するフラグメントを生成する。具体的な実施例において、無線通信端末は失敗したフラグメントを更にフラグメンテーションする。また、無線通信端末は、失敗したフラグメントの大きさとは異なる大きさを有するフラグメントに、失敗したフラグメントと同じシーケンスナンバーと同じフラグメントナンバーを割り当てる。また、無線通信端末は、失敗したフラグメントを再伝送する代わりに、ＴＸＯＰリミットを超過するＴＸＯＰを使用して失敗したフラグメントの大きさとは異なる大きさを有するフラグメントを伝送する。
【００９０】
図９の実施例において、無線通信端末はフラグメントナンバーが０であるフラグメントをＭＣＳ３に伝送する。無線通信端末は、受信者がフラグメントナンバーが０であるフラグメントの受信に明示的に失敗したと判断する。よって、フラグメントナンバーが０であるフラグメントは失敗したフラグメントである。同じシーケンスにおいて、失敗したフラグメントより大きいフラグメントナンバーを有するフラグメントが伝送されていない。よって、無線通信端末は、失敗したフラグメントより小さい大きさを有するフラグメントを再伝送のために生成し、生成したフラグメントにフラグメントナンバー０を割り当てる。無線通信端末は、以前伝送したフラグメントと同じフラグメントを伝送する代わりに、生成したフラグメントをＭＣＳ２に伝送する。この際、無線通信端末はＴＸＯＰリミット内で生成したフラグメントを伝送する。
【００９１】
また、受信者が同じシーケンスに含まれ、連続したフラグメンテーションナンバーを有する複数のフラグメントの受信に失敗する可能性がある。この際、無線通信端末は、複数の失敗したフラグメントの後を継ぐフラグメントを受信者が受信することに成功したのかには関わらず、失敗した複数のフラグメントのうち少なくともいずれか一つと異なる大きさを有するフラグメントを再伝送のために生成する。詳しくは、無線通信端末は、複数の失敗したフラグメントの後を継ぐフラグメントを受信者が受信することに成功したのかには関わらず、失敗したフラグメントの大きさを変更する。
【００９２】
図１０の実施例において、アクセスポイントは第１無線通信端末の上向き伝送をトリガーするトリガーフレームを伝送する。第１ステーションはトリガーフレームを受信し、トリガーフレームに基づいてトリガー基盤ＰＰＤＵ（ＨＥ  ＴＢ  ＰＰＤＵ）を伝送する。この際、トリガー基盤ＰＰＤＵは同じシーケンスに含まれ、フラグメントナンバーがそれぞれ１、２、３である３つのフラグメントを含むＡ−ＭＰＤＵを含む。アクセスポイントは、第１ステーションからトリガー基盤ＰＰＤＵ（ＨＥ  ＴＢ  ＰＰＤＵ）を受信する。この際、アクセスポイントは、フラグメントナンバーが０であるフラグメントとフラグメントナンバーが１であるフラグメントの受信に失敗する。アクセスポイントは、フラグメントナンバーが０であるフラグメントとフラグメントナンバーが１であるフラグメントの受信に失敗したことを明示的に示すＭ−ＢＡフレームを含むマルチユーザＰＰＤＵを送信する。連続したフラグメントナンバーを有する２つのフラグメントの伝送に失敗したため、第１ステーションは再伝送のために失敗したフラグメントとは異なる大きさを有するフラグメントを生成し、生成したフラグメントにフラグメントナンバー０を割り当てる。無線通信端末はＴＸＯＰリミット内で生成されたフラグメントを伝送する。
【００９３】
図１１は、本発明の他の実施例による無線通信端末が再伝送の後に再伝送したフラグメントと同じシーケンスに含まれたフラグメントをＴＸＯＰリミット内で再伝送する動作を示す図である。
【００９４】
上述したように、無線通信端末が再伝送したフラグメントのＭＳＤＵまたはＭＭＰＤＵに当たるフラグメントを再伝送の後に最初に伝送する際、無線通信端末はＴＸＯＰリミットを超過するＴＸＯＰを使用してフラグメントを伝送する。無線通信端末が以前の伝送に失敗し、ＭＣＳを下げて再伝送したら、再伝送の後の伝送でも低くなったＭＣＳを維持する可能性が高いためである。無線通信端末が動的フラグメンテーションを使用すれば、無線通信端末は再伝送の後に伝送されるフラグメントの大きさを調整する。よって、無線通信端末が動的フラグメンテーションを使用すれば、無線通信端末が以前再伝送したフラグメントのＭＳＤＵまたはフラグメントのＭＭＰＤＵに当たるフラグメントを再伝送の後に最初に伝送する場合であっても、無線通信端末がＴＸＯＰリミットを超過するＴＸＯＰを使用してフラグメントを伝送することは許容されない。詳しくは、無線通信端末が動的フラグメンテーションを使用すれば、無線通信端末が以前再伝送したフラグメントのＭＳＤＵまたはフラグメントのＭＭＰＤＵに当たるフラグメントを再伝送の後に最初に伝送する場合であっても、無線通信端末はＴＸＯＰリミット内でのみ該当フラグメントを伝送することができる。
【００９５】
図１１の実施例において、無線通信端末はフラグメントナンバーが０であるフラグメントをＭＣＳ３に伝送する。受信者はフラグメントナンバーが０であるフラグメントは失敗する。同じシーケンスにおいて、０より大きいフラグメントナンバーを有するフラグメントが伝送されていない。よって、無線通信端末は、伝送に失敗したフラグメントより小さい大きさを有するフラグメント更に生成し、生成したフラグメントにフラグメントナンバー０を割り当てる。無線通信端末はＴＸＯＰリミット内で該当フラグメントをＭＣＳ２に伝送する。また、無線通信端末は、伝送に失敗したフラグメントと同じシーケンスのフラグメントを生成し、生成したフラグメントにフラグメントナンバー１を割り当てる。無線通信端末は再伝送の後に最初に伝送するが、動的フラグメンテーションを使用するため、無線通信端末はＴＸＯＰリミット内でフラグメンテーションナンバーが１であるフラグメントを伝送する。
【００９６】
図１２乃至図１３は、本発明の実施例による無線通信端末が動的フラグメンテーションを使用すればＴＸＯＰリミットを超過する伝送動作を示す図である。
【００９７】
無線通信端末が動的フラグメンテーションで生成し得る最大の個数だけフラグメントを生成すれば、無線通信端末は生成したフラグメントのうち最後に生成するフラグメントをＴＸＯＰリミットを超過するＴＸＯＰを使用して伝送する。また、無線通信端末が動的フラグメンテーションで生成し得るフラグメントの最大の個数は１６個である。よって、無線通信端末はＴＸＯＰリミットを超過するＴＸＯＰ使用し、トラフィックの１６番目のフラグメントを伝送する。また、トラフィックは、上述したようにＭＳＤＵ、ＭＭＰＤＵ、またはＡ−ＭＳＤＵである。具体的な実施例において、無線通信端末がフラグメンテーションレベルをレベル１またはレベル２に決定し、決定したフラグメンテーションレベルに応じてＭＳＤＵ、ＭＭＰＤＵ、またはＡ−ＭＳＤＵをフラグメンテーションする。また、無線通信端末はＴＸＯＰホルダーである。また、無線通信端末がトリガーフレームに基づいてトリガー基盤ＰＰＤＵを伝送すれば、Ａ−ＭＳＤＵをフラグメンテーションして伝送する。このような場合、無線通信端末はＴＸＯＰホルダーではない。よって、このような場合にも、無線通信端末はＴＸＯＰリミットを超過するＴＸＯＰ使用して生成したフラグメントのうち最後に生成したフラグメントを伝送する。
【００９８】
図１２の実施例において、無線通信端末はトラフィックを動的にフラグメンテーションするフラグメントを生成し、生成したフラグメントを伝送する。この際、無線通信端末は、無線通信端末が生成し得るフラグメントの最大の個数である１６個のフラグメントを生成する。無線通信端末は、ＴＸＯＰリミットを超過するＴＸＯＰを使用し、１６番目に伝送するフラグメントを伝送する。
【００９９】
上述したように、無線通信端末が動的フラグメンテーションで最初の動的フラグメントを生成すれば、無線通信端末は受信者が指定した最初の大きさ以上の大きさを有する動的フラグメントを生成するように要求される。この際、最初の動的フラグメントは、最初に生成される動的フラグメントを示す。よって、無線通信端末が受信者がフラグメントの最初の大きさと指定した値に基づいて最初の動的フラグメントを生成すれば、無線通信端末は、ＴＸＯＰリミットを超過するＴＸＯＰを使用して最初の動的フラグメントを伝送する。詳しくは、無線通信端末が受信者がフラグメントの最初の大きさと指定した値に基づいて最初の動的フラグメントを生成し、最初の動的フラグメントを複数のＭＰＤＵを含むＡ−ＭＰＤＵを使用せずに伝送すれば、無線通信端末は、ＴＸＯＰリミットを超過するＴＸＯＰを使用して最初の動的フラグメントを伝送する。無線通信端末が最初の動的フラグメントを複数のＭＰＤＵを含むＡ−ＭＰＤＵに使用せずに伝送する場合は、単一のＭＰＤＵを使用してフラグメントを伝送する場合を示す。また、無線通信端末は、受信者がフラグメントの最初の大きさと指定した値と同じ大きさを有する最初の動的フラグメントを生成すると制限される。無線通信端末が過度に大きい動的フラグメントを生成すれば、他の無線通信端末との公平性が問題になる恐れがあるためである。
【０１００】
図１３の実施例において、無線通信端末は、トラフィックを動的フラグメンテーションして複数のフラグメントを生成する。この際、無線通信端末は最初に生成するフラグメント（ＦＮ：０）を受信者が指定した最初のフラグメントサイズの大きさで生成する。無線通信端末は、ＴＸＯＰリミットを超過するＴＸＯＰを使用して受信者に該当ラグメントを伝送する。次に、無線通信端末は、ＴＸＯＰリミット内で２番目、３番目に伝送されるフラグメント（ＦＮ：１、ＦＮ：２）を再伝送する。
【０１０１】
また、具体的な実施例において、無線通信端末がＡ−ＭＳＤＵの最初のフラグメントを伝送すれば、図１３を介して説明したＴＸＯＰリミット遵守の例外に対する実施例が適用されない。無線通信端末がＡ−ＭＳＤＵを解体する可能性が高いためである。
【０１０２】
図５乃至図１３を介して説明した実施例は、ＴＸＯＰホルダーの伝送動作に適用される。ＴＸＯＰホルダーではない無線通信端末もデータを伝送することがある。詳しくは、無線通信端末が上向き（Ｕｐｌｉｎｋ、ＵＬ）マルチユーザ（Ｍｕｌｔｉ  Ｕｓｅｒ、ＭＵ）伝送に参加すれば、ＴＸＯＰホルダーではない無線通信端末もデータを伝送する。このように、ＴＸＯＰホルダーではない伝送者がデータを伝送すれば、伝送者のＴＸＯＰリミットに関する動作が問題になる。それについては、図１４乃至図１６を介して説明する。
【０１０３】
図１４は、本発明の実施例によってＴＸＯＰホルダーではない無線通信端末が再伝送する動作を示す図である。
【０１０４】
無線通信端末がＵＬ  ＭＵ伝送に参加すれば、無線通信端末はＴＸＯＰホルダーではなくてもデータを伝送することができる。この際、無線通信端末は、ＴＸＯＰホルダーであるベース無線通信端末とは異なってＴＸＯＰリミットを設定する。よって、無線通信端末がシングルユーザ（ＳＵ）伝送で使用されるＴＯＸＰリミットより非常に大きいＴＸＯＰを使用し、ＵＬ  ＭＵ伝送の効率を上げる可能性がある。無線通信端末がＳＵ伝送で使用されるＴＸＯＰリミットより非常に大きいＴＸＯＰを使用して上向き伝送を行い、ベース無線通信端末が上向き伝送を介して伝送されたデータの受信に成功できない可能性がある。この際、無線通信端末は、再度非常に大きいＴＸＯＰを使用して再伝送を試みる。よって、無線通信端末が再伝送をする際、ＴＸＯＰリミットを超過するＴＸＯＰを使用して再伝送をすることが許容されれば、他の無線通信端末との公平性を害する恐れがある。それを防止するために、無線通信端末がＵＬ  ＭＵ伝送の失敗によって再伝送を試みれば、無線通信端末はＵＬ  ＭＵ伝送を使用してのみ再伝送をすることができる。
【０１０５】
図１４の実施例において、ＴＸＯＰホルダーではない無線通信端末は、ＵＬ  ＭＵ伝送を介してベース無線通信端末に一つのフラグメント（ＦＮ：０）を伝送する。ベース無線通信端末は、無線通信端末に一つのフラグメント（ＦＮ：０）の伝送に成功できなかったことを示すＭ−ＢＡフレーム（Ｍ−ＢＡ）を伝送する。無線通信端末は、ベース無線通信端末からＭ−ＢＡフレームを受信する。無線通信端末はＭＵ伝送に失敗した。よって、無線通信端末はＳＵ伝送を介し、伝送に失敗したフラグメント（ＦＮ：０）ではない他のフラグメント（ＦＮ：１）を再伝送する。
【０１０６】
図１４を介して説明した実施例をＵＬ  ＭＵ伝送以外の伝送にも適用することができる。ＵＬ  ＭＵ伝送以外にも、ＴＸＯＰホルダーではない無線通信端末がデータを伝送することがあるためである。詳しくは、ベース無線通信端末と無線通信端末が１：１伝送のうち逆方向（Ｒｅｖｅｒｓｅ  Ｄｉｒｅｃｔｉｏｎ）方法を使用すれば、ＴＸＯＰホルダーではない無線通信端末データを伝送する。それについては、図１５乃至図１６を介して説明する。
【０１０７】
図１５乃至図１６は、本発明のまた他の実施例によってＴＸＯＰホルダーではない無線通信端末が再伝送する動作を示す図である。
【０１０８】
ＵＬ  ＭＵ伝送で伝送されたＭＰＤＵの再伝送と逆方向伝送で伝送されたＭＰＤＵの再伝送がＴＸＯＰの管理に及ぼす影響は非常に小さい。よって、再伝送がトリガー基盤ＰＰＤＵを使用した伝送失敗に対する再伝送であれば、無線通信端末はトリガー基盤ＰＰＤＵを使用してのみ再伝送をすることができる。
【０１０９】
図１５の実施例において、ＴＸＯＰホルダーではない無線通信端末は、ＵＬ  ＭＵ伝送を介してベース無線通信端末に一つのフラグメント（ＦＮ：０）を伝送する。ベース無線通信端末は、無線通信端末に一つのフラグメント（ＦＮ：０）の伝送に成功できなかったことを示すＭ−ＢＡフレーム（Ｍ−ＢＡ）を伝送する。無線通信端末は、ベース無線通信端末からＭ−ＢＡフレームを受信する。無線通信端末がトリガー基盤ＰＰＤＵを使用した伝送に失敗した。よって、無線通信端末は、伝送に失敗したフラグメント（ＦＮ：０）ではない他のフラグメント（ＦＮ：１）をＳＵ伝送を介して伝送する。
【０１１０】
図１４乃至図１５を介して説明した実施例によると、無線通信端末はＵＬ  ＭＵに伝送した全てのＭＰＤＵをＳＵ伝送を使用して再伝送することができない。無線通信端末がトリガー基盤ＰＰＤＵを使用した伝送の失敗のため再伝送を試み、無線通信端末の再伝送に必要な伝送シーケンスのデュレーションがＴＸＯＰリミットを超過しなければ、無線通信端末はＳＵ伝送を使用して該当再伝送を行う。この際、再伝送に必要な伝送シーケンスは、再伝送と再伝送に対する応答伝送との間の一定時間間隔、及び再伝送に対する応答を受信するのに所要される時間を含む。詳しくは、再伝送に対する応答は、応答対象であるフレームの受信から一定時間内に伝送される即刻的な応答である。また、再伝送と再伝送に対する応答伝送との間の一定時間間隔は、ＳＩＦＳである。再伝送に対する応答はＡＣＫフレームである。この際、再伝送シーケンスの所要時間は、ＵＬ  ＭＵ伝送で使用したＭＣＳを基準に演算される。また、再伝送シーケンスの所要時間は、特定周波数帯域幅を基準に演算される。この際、特定周波数帯域幅は、無線通信端末が含まれたＢＳＳにおけるＳＵ伝送の際に許容される最大周波数帯域幅である。また、特定周波数帯域幅は２０ＭＨｚである。なお、特定周波数帯域幅はＵＬ  ＭＵ伝送の際に使用したＲＵ（Ｒｅｓｏｕｒｃｅ  Ｕｎｉｔ）の大きさを２０ＮＨｚの倍数単位で切り上げた周波数帯域幅である。
【０１１１】
図１６の実施例において、ＴＸＯＰホルダーではない無線通信端末は、ＵＬ  ＭＵ伝送を介してベース無線通信端末に一つのフラグメント（ＦＮ：０）を伝送する。ベース無線通信端末は、無線通信端末に一つのフラグメント（ＦＮ：０）の伝送に成功できなかったことを示すＭ−ＢＡフレーム（Ｍ−ＢＡ）を伝送する。無線通信端末は、ベース無線通信端末からＭ−ＢＡフレームを受信する。無線通信端末がＭＵ伝送に失敗した。線通信端末は、一つのフラグメント（ＦＮ：０）を再伝送に必要な伝送シーケンスの所要時間を演算する。無線通信端末が演算した伝送シーケンスに所用される時間がＴＸＯＰリミットを超過する。よって、無線通信端末はＳＵ伝送を介し、伝送に失敗したフラグメント（ＦＮ：０）ではない他のフラグメント（ＦＮ：１）を伝送する。
【０１１２】
無線通信端末がＭＩＭＯまたはビームフォーミング（ｂｅａｍｆｏｒｍｉｎｇ）を行うためには、受信者からチャネル状態を受信する必要がある。ＭＩＭＯまたはビームフォーミングを行おうとする無線通信端末は、以下のようなサウンディングプロトコールシーケンスを介してチャネル状態を受信する。説明の便宜上、ＭＩＭＯまたはビームフォーミングの伝送を行おうとする無線通信端末をビームフォーマー（ｂｅａｍｆｏｒｍｅｒ）と称し、ＭＩＭＯまたはビームフォーミングの受信を行おうとする無線通信端末をビームフォーミー（ｂｅａｍｆｏｒｍｅｅ）と称する。ビームフォーマーは、ＮＤＰＡフレームを伝送し、サウンディングプロトコールシーケンスが開始されたことを知らせる。この際、ＮＤＰＡフレームは、チャネル状態を測定する無線通信端末であるビームフォーミーに関する情報を含む。ビームフォーマーはチャネル状態の測定に使用されるが、データフィールドを含まないＮＤＰフレームを伝送する。この際、ビームフォーマーは、ＮＤＰＡフレームを伝送したときから予め指定された時間の後にＮＤＰフレームを伝送する。この際、予め指定された時間はＳＩＦＳである。ビームフォーミーは、ＮＤＰフレームに基づいてチャネル状態を測定する。ビームフォーミーは、ＮＤＰフレームを伝送した無線通信端末に測定したチャネル状態を示すフィードバックフレームを伝送する。この際、フィードバックフレームは、一般的なフィードバックフレームより圧縮された（ｃｏｍｐｒｅｓｓｅｄ）状態のフィールドを含むコンプレスドフィードバックフレームである。フィードバックフレームの大きさが非常に大きい可能性があるため、ビームフォーミーは無線媒介体を長く占有する必要がある。よって、ビームフォーマーがサウンディングシーケンスを開始するフレームの伝送を試みるＡＣに非常に小さいＴＸＯＰリミットを設定すれば、ＴＸＯＰリミット内でサウンディングプロトコールシーケンスが完了されない恐れがある。よって、サウンディングプロトコールシーケンスはＭＩＭＯ及びビームフォーミング伝送において必須的に必要な動作であるため、ＴＸＯＰリミットに対する例外が認められる。但し、サウンディングプロトコールシーケンスにおいて、ＴＸＯＰリミットに対する例外を幅広く適用すれば、他の無線通信端末との公平性が問題になる恐れがある。よって、サウンディングプロトコールシーケンスにおいて、ＴＸＯＰリミットに関する無線通信端末動作が問題になる。
【０１１３】
図１７乃至図１８は、本発明の実施例による無線通信端末がＴＸＯＰリミットに関してサウンディングプロトコール動作を行うことを示す図である。
【０１１４】
ビームフォーマーは、ＴＸＯＰリミットを超過するＴＸＯＰを使用してＮＤＰＡフレームとＮＤＰフレームを伝送する。詳しくは、ＮＤＰフレームがＴＸＯＰリミット内で伝送されれば、ビームフォーマーはＴＸＯＰリミットを超過するＴＸＯＰを使用してＮＤＰＡフレームとＮＤＰフレームを伝送する。また、ビームフォーマーは、ＴＸＯＰリミットを超過するＴＸＯＰ内において、ビームフォーミーからＮＤＰＡフレームに対する応答としてフィードバックフレームを受信する。ＮＤＰＡフレームの伝送とＮＤＰフレームの伝送との間の間隔はＳＩＦＳである。また、ＮＤＰフレームとフィードバックレームとの間の時間間隔はＳＩＦＳである。詳しくは、ビームフォーミーは、ＮＤＰフレームを受信したときからＳＩＦＳ後にフィードバックフレームを伝送する。
【０１１５】
また、フィードバックフレームが最大Ａ−ＭＰＤＵの長さを超過すれば、ビームフォーミーはフィードバックフレームを複数のセグメントに分割して伝送する。この際、ビームフォーマーは以前伝送されたフィードバックフレームに対する後続セグメントを要請するために、ビームフォーミーにビームフォーミングレポートポール（ＢＲＰ）フレームを伝送する。この際、ビームフォーマーは、ＴＸＯＰリミットを超過するＴＸＯＰを使用してＢＲＰフレームを伝送する。詳しくは、ビームフォーマーがＢＲＰフレームをＴＸＯＰリミット内で伝送すれば、ビームフォーマーはＴＸＯＰリミットを超過するＴＸＯＰを使用してＢＲＰフレームを伝送する。また、ビームフォーマーは、ＴＸＯＰリミットを超過するＴＸＯＰ内において、ビームフォーミーからフィードバックフレームを受信する。ＢＲＰフレームとフィードバックレームとの間の時間間隔はＳＩＦＳである。詳しくは、ビームフォーミーは、ＢＲＰフレームを受信したときからＳＩＦＳ後にフィードバックフレームを伝送する。
【０１１６】
図１７の実施例において、ビームフォーマーはＴＸＯＰリミット内でＮＤＰＡフレーム（ＨＥ  ＮＤＰＡ）とＮＤＰフレーム（ＨＥ  ＮＤＰ）を伝送する。ビームフォーマーがＴＸＯＰリミット内でＮＤＰＡフレーム（ＨＥ  ＮＤＰＡ）とＮＤＰフレーム（ＨＥ  ＮＤＰ）を伝送したため、ビームフォーマーは、ＴＸＯＰリミットを超過するＴＸＯＰを使用してＮＤＰＡフレーム（ＨＥ  ＮＤＰＡ）とＮＤＰフレーム（ＨＥ  ＮＤＰ）を伝送する。詳しくは、ビームフォーマーは、ＴＸＯＰリミットを超過するＴＸＯＰ内でフィードバックフレーム（ＳＵ  Ｃｏｍｐｒｅｓｓｅｄ  Ｆｅｅｄｂａｃｋ）を受信する。ビームフォーミーは、ＮＤＰフレーム（ＨＥ  ＮＤＰ）を受信したときからＳＩＦＳ後にフィードバックフレームを伝送する。
【０１１７】
また、ビームフォーマーは、複数のビームフォーミーにフィードバックフレームを要請するためにＢＲＰトリガーフレームを伝送する。詳しくは、ビームフォーマーは複数のビームフォーミーを指示するＮＤＰＡフレームを伝送する。この際、ＮＤＰＡフレームは、複数のビームフォーミーをそれぞれ支持する複数のｕｓｅｒ  ｉｎｆｏフィールドを含む。また、ＮＤＰＡフレームの受信者アドレス（Ｒｅｃｅｉｖｅｒ  Ａｄｄｒｅｓｓ、ＲＡ）はブロードキャスト（ｂｒｏａｄｃａｓｔ）アドレスである。ビームフォーマーがＮＤＰＡフレームを伝送したときから予め指定された時間の後、ビームフォーマーはＮＤＰフレームを伝送する。ＮＤＰフレームを伝送した後、ＢＲＰトリガーフレームを伝送する。この際、予め指定された時間はＳＩＦＳである。ビームフォーマーは、ＮＤＰＡフレームを伝送したときから予め指定された時間の後にＢＲＰトリガーフレームをする。この際、予め指定された時間はＳＩＦＳである。複数のビームフォーミーはＢＲＰトリガーフレームを受信し、ＢＲＰトリガーフレームを受信したときから予め指定された時間の後に同時にフィードバックフレームを伝送する。この際、予め指定された時間はＳＩＦＳである。また、複数のビームフォーミーは、ＯＦＤＭＡ（ｏｒｔｈｏｇｏｎａｌ  ｆｒｅｑｕｅｎｃｙ  ｍｕｌｔｉｐｌｅ  ａｃｃｅｓｓ）を使用してフィードバックフレームを同時に伝送する。ビームフォーマーがＢＲＰトリガーフレームを伝送する際に例外なくＴＸＯＰリミットが適用されれば、ビームフォーマーがビームフォーミーのフィードバックフレームの伝送をトリガーすることが難しくなる恐れがある。よって、ビームフォーマーはビームフォーミーごとに個別的にサウンディングプロトコールシーケンスを行うべきである。このような問題に関し、無線通信端末は以下の具体的な実施例によって動作する。
【０１１８】
ビームフォーマーは、ＴＸＯＰリミットを超過するＴＸＯＰを使用してＢＲＰトリガーフレームを伝送する。具体的な実施例において、ビームフォーマーは、ＴＸＯＰリミットを超過するＴＸＯＰを使用してＮＤＰＡフレーム、ＮＤＰフレーム、及びＢＲＰトリガーフレームを伝送する。この際、ビームフォーマーがＮＤＰＡフレーム、ＮＤＰフレーム、及びＢＲＰトリガーフレームをＴＸＯＰリミット内で伝送すれば、ビームフォーマーは、ＴＸＯＰリミットを超過するＴＸＯＰを使用してＮＤＰＡフレーム、ＮＤＰフレーム、及びＢＲＰトリガーフレームを伝送する。上述したように、ＮＤＰＡフレーム、ＮＤＰフレーム、及びＢＲＰトリガーフレームそれぞれの間の伝送間隔はＳＩＦＳである。また、ＢＲＰトリガーフレームとフィードバックレームとの間の時間間隔はＳＩＦＳである。詳しくは、ビームフォーミーは、ＢＲＰトリガーフレームを受信したときからＳＩＦＳ後にフィードバックフレームを伝送する。
【０１１９】
ビームフォーマーがＢＲＰトリガーフレームを使用して多くのビームフォーミーのフィードバックフレームを伝送をトリガーすれば、従来のサウンディングプロトコールシーケンスとの公平性が問題になり得る。従来のサウンディングプロトコールシーケンスとの公平性を考慮し、無線通信端末は以下の具体的な実施例によって動作する。
【０１２０】
他の具体的な実施例において、ビームフォーマーがＮＤＰＡフレームを使用して複数のビームフォーミーを指示しても、ビームフォーマーはＢＲＰトリガーフレームにおいて、特定個数のビームフォーミーのフィードバックフレームの伝送をトリガーする。この際、特定個数は１個である。また、特定個数はＴＸＯＰリミットを基準に設定される。また、ＢＲＰトリガーフレームは予め指定された個数だけのｕｓｅｒ  ｉｎｆｏフィールドを含む。よって、ビームフォーマーは予め指定された個数のビームフォーミーからフィードバックフレームを受信する。最初のＢＲＰトリガーフレームを伝送したＴＸＯＰの次にＴＸＯＰにおいて、ビームフォーマーは更にＢＲＰトリガーフレームを伝送してＮＤＰＡフレームが指示した複数のビームフォーミーのうち、以前ＢＲＰトリガーフレームが指示したビームフォーミー以外の残りのビームフォーミーのうち特定個数だけのビームフォーミーのフィードバックフレームの伝送をトリガーする。この際、ＢＲＰトリガーフレームは、ＮＤＰＡフレームが指示した複数のビームフォーミーのうち以前ＢＲＰトリガーフレームが指示したビームフォーミー以外の残りのビームフォーミーのうち、特定個数だけのビームフォーミーそれぞれを指示するｕｓｅｒ  ｉｎｆｏフィールドを含む。また、最初のＢＲＰトリガーフレームを伝送したＴＸＯＰの次のＴＸＯＰにおいて、ビームフォーマーは更にＮＤＰＡフレーム及びＮＤＰフレームを伝送くてもよい。また、ビームフォーマーが最初のＢＲＰトリガーフレームを伝送したＴＸＯＰの次のＴＸＯＰにおいて、ＢＲＰトリガーフレームをＴＸＯＰリミット内で伝送すれば、ビームフォーマーは、ＴＸＯＰリミットを超過するＴＸＯＰを使用してＢＲＰトリガーフレームを伝送する。詳しくは、ビームフォーミーは、ＢＲＰトリガーフレームを受信したときからＳＩＦＳ後にフィードバックフレームを伝送する。
【０１２１】
また、前記実施例において、ビームフォーミーはトリガー基盤ＰＰＤＵを使用してＢＲＰトリガーフレームに対する応答としてフィードバックフレームを伝送する。
【０１２２】
図１８の実施例において、ビームフォーマーはＴＸＯＰリミット内でＮＤＰＡフレーム（ＨＥ  ＮＤＰＡ）とＮＤＰフレーム（ＨＥ  ＮＤＰ）を伝送する。この際、ＮＤＰＡフレーム（ＨＥ  ＮＤＰＡ）は複数のビームフォーミーを有する。また、ビームフォーマーはＮＤＰフレーム（ＮＥ  ＮＤＰ）を伝送したときからＳＩＦＳの後、第１ＢＲＰトリガーフレーム（Ｂｅａｍｆｏｒｍｉｎｇ  Ｒｅｐｏｒｔ  Ｐｏｌｌ  ｔｒｉｇｇｅｒ  ｖａｒｉａｎｔ）を伝送する。この際、ＢＲＰトリガーフレームは一つのビームフォーミーを指示する。ビームフォーマーは、一つのビームフォーミーからフィードバックフレームを含むトリガー基盤ＰＰＤＵ（ＨＥ  ＴＰ  ＰＰＤＵ  ｃｏｍｐｒｅｓｓｅｄ  ｆｅｅｄｂａｃｋ）を受信する。この際、フィードバックフレームを含むトリガー基盤ＰＰＤＵは、ビームフォーミーが第１ＢＲＰとトリガーフレームを受信したときからＳＩＦＳに伝送される。次のＴＸＯＰにおいて、ビームフォーマーは第２ＢＲＰトリガーフレームを伝送する。この際、第２ＢＲＰトリガーフレームは、ＮＤＰＡフレーム（ＨＥ  ＮＤＰＡ）が指示した複数のビームフォーミーのうち、第１ＢＲＰトリガーフレームが指示したビームフォーミー以外の残りのビームフォーミーのうちいずれか一つを指示する。ビームフォーマーが第２ＢＲＰトリガーフレームをＴＸＯＰリミット内で伝送したため、ビームフォーマーはＴＸＯＰリミットを超過するＴＸＯＰを使用して第２ＢＲＰトリガーフレームを伝送する。詳しくは、ビームフォーマーは、ＴＸＯＰリミットを超過するＴＸＯＰ内でフィードバックフレームを含むトリガー基盤ＰＰＤＵを受信する。この際、ビームフォーマーは、第２ＢＲＰトリガーフレームが指示したビームフォーミーからフィードバックフレームを含むトリガー基盤ＰＰＤＵを受信する。この際、ビームフォーミーは、第２ＢＲＰトリガーフレームを受信したときからＳＩＦＳ後にフィードバックフレームを含むトリガー基盤ＰＰＤＵを伝送する。
【０１２３】
図１９は、本発明の実施例による無線通信端末の動作を示す図である。
【０１２４】
無線通信端末は、ＴＸＯＰリミットに基づいて伝送を行う。詳しくは、無線通信端末はＴＸＯＰリミットに関する情報を獲得しＳ１９０１、ＴＸＯＰリミットに関する情報に基づいて伝送を行うＳ１９０３。詳しくは、無線通信端末はベース無線通信端末からＴＸＯＰリミットに関する情報を獲得する。この際、ＴＸＯＰリミットに関する情報はＥＤＣＡパラメータセットエレメントである。無線通信端末は、図６乃至図７を介して説明したＴＸＯＰリミットに関する原則によって伝送を行う。
【０１２５】
無線通信端末は、他の無線通信端末にＴＸＯＰリミットを超過するＴＸＯＰを使用してビームフォーミングレポートポール（ＢＲＰ）トリガーフレームを伝送する。この際、無線通信端末はＴＸＯＰリミットを超過するＴＸＯＰ内において、他の無線通信端末からＢＲＰトリガーフレームに対する応答としてフィードバックフレームを受信する。この際、ＢＲＰトリガーフレームは一つ以上の無線通信端末のフィードバックフレームの同時伝送をトリガーする。フィードバックフレームは、無線通信端末の他の無線通信端末に対するＭＩＭＯ伝送、または無線通信端末の他の無線通信端末に対するビームフォーミング伝送に使用される、他の無線通信端末が測定したチャネルの状態を示す。具体的な実施例において、ＭＩＭＯ伝送またはビームフォーミング伝送に備えるビームフォーマーは、ＴＸＯＰリミットを超過するＴＸＯＰを使用してＮＤＰＡフレーム、ＮＤＰフレーム、及びＢＲＰトリガーフレームを伝送する。例えば、前記無線通信端末が他の無線通信端末にサウンディングプロトコールシーケンスが始まることを知らせるＮＤＰＡフレームを伝送したときから予め指定された時間が過ぎた後、無線通信端末は他の無線通信端末にチャネル状態の測定に使用するＮＤＰフレームを伝送する。この際、無線通信端末がＮＤＰＡフレーム、ＮＤＰフレーム、及びＢＲＰトリガーフレームをＴＸＯＰリミット内で伝送する場合、他の無線通信端末にＮＤＰフレームを伝送したときから予め指定された時間が過ぎた後、ＴＸＯＰリミットを超過するＴＸＯＰを使用して他の無線通信端末に前記ＢＲＰトリガーフレームを伝送する。
【０１２６】
また、ＢＲＰトリガーフレームは、以前他の無線通信端末が伝送したフィードバックフレームに対する後続セグメントを要請するためのものである。この際、ビームフォーマーがＴＸＯＰリミット内でＢＲＰトリガーフレームを伝送すれば、ビームフォーマーはＴＸＯＰリミットを超過するＴＸＯＰを使用してＢＲＰトリガーフレームを伝送する。
【０１２７】
フィードバックフレームは、前記他の無線通信端末が前記ＢＲＰトリガーフレームを受信したときから予め指定された時間が過ぎた後に前記他の無線通信端末から伝送される。上述した予め指定された時間はいずれもＳＩＦＳである。詳しくは、ビームフォーミーとビームフォーマーは図１７乃至図１８を介して説明した実施例によって動作する。
【０１２８】
無線通信端末は、動的フラグメンテーションを使用して少なくとも一つのフラグメントを生成し、少なくとも一つのフラグメントを他の無線通信端末に伝送する。動的フラグメンテーションは、上述したように、最後のフラグメントを除く全てのフラグメントの大きさを同じくフラグメンテーションすることが求められないフラグメンテーションを示す。
【０１２９】
無線通信端末は他の無線通信端末とのＢｌｏｃｋ  ＡＣＫ合意に基づき、他の無線通信端末に伝送するフラグメントに適用されるフラグメンテーションレベルを決定する。無線通信端末と他の無線通信端末との間のＢｌｏｃｋＡＣＫ合意がなければ、無線通信端末は、他の無線通信端末の能力に応じて決定されたフラグメンテーションレベルによって動的フラグメンテーションを行う。この際、フラグメンテーションレベルは上述したようにフラグメントの伝送方法を示す。
【０１３０】
具体的な実施例において、他の無線通信端末がフラグメントの最小の大きさと指定した値に基づき、前記少なくとも一つのフラグメントのうち最初に生成する第１フラグメントを生成する。この際、無線通信端末は、ＴＸＯＰリミットを超過するＴＸＯＰを使用して前記第１フラグメントを他の無線通信端末に伝送する。無線通信端末が複数のＭＰＤＵを含むＡ−ＭＰＤＵを使用せず、少なくとも一つのフラグメントを他の無線通信端末に伝送すれば、ＴＸＯＰリミットを超過するＴＸＯＰを使用して第１フラグメントを他の無線通信端末に伝送する。この際、無線通信端末は、他の無線通信端末がフラグメントの最小の大きさと指定した値と同じ大きさで第１フラグメントを生成する。
【０１３１】
また、無線通信端末は、無線通信端末がフラグメントを生成し得る最大の個数だけ前記少なくとも一つのフラグメントを生成し、少なくとも一つのフラグメントのうち最後に生成する第２フラグメントを、ＴＸＯＰリミットを超過するＴＸＯＰを使用して他の無線通信端末に伝送する。具体的な実施例において、無線通信端末がフラグメントを生成し得る最大の個数は１６個である。
【０１３２】
無線通信端末は、他の無線通信端末が前記少なくとも一つのフラグメントのうち一つである第３フラグメントの受信に明示的に失敗したら、無線通信端末は、無線通信端末が第３フラグメントの後を継ぐフラグメントを伝送しなかったのかと、他の無線通信端末が第３フラグメントの後を継ぐフラグメントの受信に明示的に失敗したのかのうち少なくともいずれか一つに基づいて、第３フラグメントとは異なる大きさを有する第４フラグメントを生成する。無線通信端末は、第３フラグメントのシーケンスナンバーとフラグメントナンバーを第４フラグメントに割り当てる。この際、無線通信端末は、他の無線通信端末に第３フラグメントを再伝送する代わりに、他の無線通信端末に第４フラグメントを伝送する。詳しくは、無線通信端末はＴＸＯＰリミットを超過するＴＸＯＰ使用して第４フラグメントを伝送する。無線通信端末が動的フラグメンテーションを使用すれば、無線通信端末は図７乃至図１６を介して説明した実施例のように動作する。
無線通信端末はＴＸＯＰホルダーである。また、無線通信端末がＴＸＯＰホルダーではない場合の具体的な動作は図１４乃至図１６のようである。
【０１３３】
上記のように、無線LAN通信を例に挙げて、本発明を説明したが、本発明はこれに限定せず、携帯電話通信などの他の通信システムでも同様に適用することができる。また、本発明の方法、デバイス、およびシステムは、特定の実施例に関連して説明されたが、本発明の構成要素、動作の一部または全部は、汎用ハードウェアアーキテクチャを有するコンピュータシステムを使用して実装することができる。
【０１３４】
これまで実施例に説明された特徴、構造、効果などは、本発明の少なくとも一つの実施例に含まれるが、必ずしも一つの実施例にのみ限定されない。なお、各実施例に例示されている特徴、構造、効果などは、実施例の属する分野の通常の知識を有する者によって他の実施例についても組み合わせられるかまたは変形されて実施されてもよい。よって、このような組み合わせと変形に関する内容は、本発明の範囲に含まれると解釈すべきである。
【０１３５】
これまで実施例を中心に説明したが、これは単なる例示であって本発明を限定するものではなく、本発明の属する分野の通常の知識を有する者であれば、本実施例の本質的な特性を逸脱しない範囲内で前記に例示されていない様々な変形と応用が可能であることを理解できるはずである。例えば、実施例に具体的に示した各構成要素は変形して実施されてもよいものである。そして、このような変形と応用に関する差は、添付した特許請求の範囲で規定する本発明の範囲に含まれると解釈すべきである。
【符号の説明】
【０１３６】
１００  ステーション
１１０  プロセッサ
１２０  送受信部
１４０  ユーザインタフェース
１５０  ディスプレーユニット
１６０  メモリ
【図１】
0006911127.tif 000002
【図２】
0006911127.tif 000003
【図３】
0006911127.tif 000004
【図４】
0006911127.tif 000005
【図５】
0006911127.tif 000006
【図６ａ）】
0006911127.tif 000007
【図６ｂ）】
0006911127.tif 000008
【図６ｃ）】
0006911127.tif 000009
【図６ｄ）】
0006911127.tif 000010
【図６ｅ）】
0006911127.tif 000011
【図６ｆ）】
0006911127.tif 000012
【図７】
0006911127.tif 000013
【図８】
0006911127.tif 000014
【図９】
0006911127.tif 000015
【図１０】
0006911127.tif 000016
【図１１】
0006911127.tif 000017
【図１２】
0006911127.tif 000018
【図１３】
0006911127.tif 000019
【図１４】
0006911127.tif 000020
【図１５】
0006911127.tif 000021
【図１６】
0006911127.tif 000022
【図１７】
0006911127.tif 000023
【図１８】
0006911127.tif 000024
【図１９】
0006911127.tif 000025